(57)【要約】【課題】端末装置と基地局装置が効率的に通信すること【解決手段】基地局装置は、トランスポートブロックの初期送信を受信する受信部と、前記トランスポートブロックの再送信のためのＰＤＣＣＨを送信する送信部と、を備え、前記トランスポートブロックの初期送信のための上りリンクグラントは、非コンテンションベースランダムアクセス手順に対応するランダムアクセスレスポンスに含まれ、前記トランスポートブロックの再送信のためのＰＤＣＣＨが送信されるサーチスペースのタイプは、前記端末装置に前記ＲＲＣ層のパラメータｓｈｏｒｔＰｒｏｃｅｓｓｉｎｇＴｉｍｅが設定されているかどうかに、少なくとも基づいて、決定される。【選択図】図１０
2020120142.tif 000002
【特許請求の範囲】
【請求項１】
トランスポートブロックの初期送信を実行する送信部と、
前記トランスポートブロックの再送信のためのＰＤＣＣＨのデコードを試みる受信部と、を備え、
前記トランスポートブロックの初期送信のための上りリンクグラントは、非コンテンションベースランダムアクセス手順に対応するランダムアクセスレスポンスに含まれ、
前記トランスポートブロックの再送信のためのＰＤＣＣＨのデコードを試みるサーチスペースのタイプは、ＲＲＣ層のパラメータｓｈｏｒｔＰｒｏｃｅｓｓｉｎｇＴｉｍｅが設定されているかどうかに、少なくとも基づいて、決定される
端末装置。
【請求項２】
前記ＲＲＣ層のパラメータｓｈｏｒｔＰｒｏｃｅｓｓｉｎｇＴｉｍｅが設定されている場合、前記トランスポートブロックの再送信のためのＰＤＣＣＨのデコードを試みるサーチスペースのタイプは、コモンサーチスペースである
請求項１に記載の端末装置。
【請求項３】
前記ＲＲＣ層のパラメータｓｈｏｒｔＰｒｏｃｅｓｓｉｎｇＴｉｍｅが設定されていない場合、前記トランスポートブロックの再送信のためのＰＤＣＣＨのデコードを試みるサーチスペースのタイプは、コモンサーチスペース、および、ＵＥ固有サーチスペースである
請求項１に記載の端末装置。
【請求項４】
端末装置と通信する基地局装置であって、
トランスポートブロックの初期送信を受信する受信部と、
前記トランスポートブロックの再送信のためのＰＤＣＣＨを送信する送信部と、を備え、
前記トランスポートブロックの初期送信のための上りリンクグラントは、非コンテンションベースランダムアクセス手順に対応するランダムアクセスレスポンスに含まれ、
前記トランスポートブロックの再送信のためのＰＤＣＣＨが送信されるサーチスペースのタイプは、前記端末装置にＲＲＣ層のパラメータｓｈｏｒｔＰｒｏｃｅｓｓｉｎｇＴｉｍｅが設定されているかどうかに、少なくとも基づいて、決定される
基地局装置
【請求項５】
前記端末装置に前記ＲＲＣ層のパラメータｓｈｏｒｔＰｒｏｃｅｓｓｉｎｇＴｉｍｅが設定されている場合、前記トランスポートブロックの再送信のためのＰＤＣＣＨが送信されるサーチスペースのタイプは、コモンサーチスペースである
請求項４に記載の基地局装置。
【請求項６】
前記端末装置に前記ＲＲＣ層のパラメータｓｈｏｒｔＰｒｏｃｅｓｓｉｎｇＴｉｍｅが設定されていない場合、前記トランスポートブロックの再送信のためのＰＤＣＣＨのデコードを試みるサーチスペースのタイプは、コモンサーチスペース、および、ＵＥ固有サーチスペースである
請求項４に記載の基地局装置。
【請求項７】
端末装置に用いられる通信方法であって、
トランスポートブロックの初期送信を実行し、
前記トランスポートブロックの再送信のためのＰＤＣＣＨのデコードを試み、
前記トランスポートブロックの初期送信のための上りリンクグラントは、非コンテンションベースランダムアクセス手順に対応するランダムアクセスレスポンスに含まれ、
前記トランスポートブロックの再送信のためのＰＤＣＣＨのデコードを試みるサーチスペースのタイプは、ＲＲＣ層のパラメータｓｈｏｒｔＰｒｏｃｅｓｓｉｎｇＴｉｍｅが設定されているかどうかに、少なくとも基づいて、決定される
通信方法。
【請求項８】
端末装置と通信する基地局装置に用いられる通信方法であって、
トランスポートブロックの初期送信を受信し、
前記トランスポートブロックの再送信のためのＰＤＣＣＨを送信し、
前記トランスポートブロックの初期送信のための上りリンクグラントは、非コンテンションベースランダムアクセス手順に対応するランダムアクセスレスポンスに含まれ、
前記トランスポートブロックの再送信のためのＰＤＣＣＨが送信されるサーチスペースのタイプは、前記端末装置にＲＲＣ層のパラメータｓｈｏｒｔＰｒｏｃｅｓｓｉｎｇＴｉｍｅが設定されているかどうかに、少なくとも基づいて、決定される
通信方法。
【発明の詳細な説明】
【技術分野】
【０００１】
本発明は、端末装置、基地局装置、通信方法、および、集積回路に関する。
【背景技術】
【０００２】
セルラー移動通信の無線アクセス方式および無線ネットワーク（「Long Term Evolution （LTE）」、「Evolved Universal Terrestrial Radio Access : EUTRA」、「Evolved Universal Terrestrial Radio Access Network: EUTRAN」、および「New Radio」）が、第三世代パートナーシッププロジェクト（3rd Generation Partnership Project: 3GPP）において検討されている。基地局装置をｅＮｏｄｅＢ（evolved NodeB）またはｇＮｏｄｅ
Ｂとも称する。端末装置をＵＥ（User Equipment）とも称する。基地局装置がカバーするエリアをセル状に複数配置するセルラー通信システムである。単一の基地局装置は複数のセルを管理してもよい。３ＧＰＰにおいて、待ち時間の縮小の強化（latency reduction enhancements）が検討されている。例えば、待ち時間の縮小の解決策として、レガシー（１ms）送信時間間隔（Transmission Time Interval, TTI）に対して、処理時間を短縮す
る検討が始まっている（非特許文献１）。
【０００３】
ＭＡＣ（Medium Access Control）層においてＨＡＲＱ（Hybrid Automatic Repeat reQuest）機能（functionality）が提供される。下りリンクにおけるＨＡＲＱ機能は、非同
期（asynchronous）適用（adaptive）ＨＡＲＱの特徴を持つ、そして、上りリンクにおけるＨＡＲＱ機能は、同期（synchronous）ＨＡＲＱの特徴を持つ（非特許文献２）。３Ｇ
ＰＰにおいて、上りリンクにおける非同期ＨＡＲＱの導入が検討されている（非特許文献３）。しかしながら、処理時間を短縮することが設定されるかどうかに基づき、上りリンクＨＡＲＱおよび上りリンクグラントが送信されるサーチスペースについて十分に検討されていない。
【先行技術文献】
【非特許文献】
【０００４】
【非特許文献１】"Work Item on shortened TTI and processing time for LTE", RP-161299, Ericsson, 3GPP TSG RAN Meeting #72, Busan, Korea, June 13-16, 2016.
【非特許文献２】"3GPP TS 36.300 v12.4.0 Evolved Universal Terrestrial Radio Access (E-UTRA) and Evolved Universal Terrestrial Radio Access Network (E-UTRAN); Overall description; Stage 2", 7th November 2015.
【非特許文献３】"Asynchronous UL HARQ", R1-1706982, Huawei, 3GPP TSG RAN WG1 Meeting #89, 15th - 19th May 2017.
【発明の概要】
【発明が解決しようとする課題】
【０００５】
本発明は、基地局装置と効率的に通信することができる端末装置、該端末装置に実装される集積回路、該端末装置に用いられる通信方法、該端末装置と通信する基地局装置、該基地局装置に用いられる通信方法、および、該基地局装置に実装される集積回路を提供することを目的とする。
【課題を解決するための手段】
【０００６】
（１）上記の目的を達成するために、本発明の態様は、以下のような手段を講じた。すなわち、本発明の第１の態様は、端末装置であって、トランスポートブロックの初期送信を実行する送信部と、前記トランスポートブロックの再送信のためのＰＤＣＣＨのデコードを試みる受信部と、を備え、前記トランスポートブロックの初期送信のための上りリン
クグラントは、非コンテンションベースランダムアクセス手順に対応するランダムアクセスレスポンスに含まれ、前記トランスポートブロックの再送信のためのＰＤＣＣＨのデコードを試みるサーチスペースのタイプは、ＲＲＣ層のパラメータｓｈｏｒｔＰｒｏｃｅｓｓｉｎｇＴｉｍｅが設定されているかどうかに、少なくとも基づいて、決定される。
【０００７】
（２）本発明の第２の態様は、端末装置と通信する基地局装置であって、トランスポートブロックの初期送信を受信する受信部と、前記トランスポートブロックの再送信のためのＰＤＣＣＨを送信する送信部と、を備え、前記トランスポートブロックの初期送信のための上りリンクグラントは、非コンテンションベースランダムアクセス手順に対応するランダムアクセスレスポンスに含まれ、前記トランスポートブロックの再送信のためのＰＤＣＣＨが送信されるサーチスペースのタイプは、前記端末装置に前記ＲＲＣ層のパラメータｓｈｏｒｔＰｒｏｃｅｓｓｉｎｇＴｉｍｅが設定されているかどうかに、少なくとも基づいて、決定される。
【０００８】
（３）本発明の第３の態様は、端末装置に用いられる通信方法であって、トランスポートブロックの初期送信を実行し、前記トランスポートブロックの再送信のためのＰＤＣＣＨのデコードを試み、前記トランスポートブロックの初期送信のための上りリンクグラントは、非コンテンションベースランダムアクセス手順に対応するランダムアクセスレスポンスに含まれ、前記トランスポートブロックの再送信のためのＰＤＣＣＨのデコードを試みるサーチスペースのタイプは、ＲＲＣ層のパラメータｓｈｏｒｔＰｒｏｃｅｓｓｉｎｇＴｉｍｅが設定されているかどうかに、少なくとも基づいて、決定される。
【０００９】
（４）本発明の第４の態様は、端末装置と通信する基地局装置に用いられる通信方法であって、トランスポートブロックの初期送信を受信し、前記トランスポートブロックの再送信のためのＰＤＣＣＨを送信し、前記トランスポートブロックの初期送信のための上りリンクグラントは、非コンテンションベースランダムアクセス手順に対応するランダムアクセスレスポンスに含まれ、前記トランスポートブロックの再送信のためのＰＤＣＣＨが送信されるサーチスペースのタイプは、前記端末装置に前記ＲＲＣ層のパラメータｓｈｏｒｔＰｒｏｃｅｓｓｉｎｇＴｉｍｅが設定されているかどうかに、少なくとも基づいて、決定される。
【発明の効果】
【００１０】
この発明によれば、端末装置が、効率的に基地局装置と通信することができる。
【図面の簡単な説明】
【００１１】
【図１】本実施形態の無線通信システムの概念図である。
【図２】本実施形態におけるキャリアアグリゲーションが設定された上りリンクに対するＭＡＣ層の構造の一例を示す図である。
【図３】本実施形態の無線フレームの概略構成を示す図である。
【図４】本実施形態におけるＵＬ−ＤＬ設定の一例を示す表である。
【図５】本実施形態における同期ＨＡＲＱの一例を示す図である。
【図６】本実施形態における非同期ＨＡＲＱの一例を示す図である。
【図７】ＨＡＲＱの再送信のためのＰＤＣＣＨのデコードに関する疑似コードを示す図である。
【図８】ＨＡＲＱの再送信のためのＰＤＣＣＨのデコードに関する疑似コードを示す図である。
【図９】本実施形態の端末装置１の構成を示す概略ブロック図である。
【図１０】本実施形態の基地局装置３の構成を示す概略ブロック図である。
【発明を実施するための形態】
【００１２】
以下、本発明の実施形態について説明する。
【００１３】
図１は、本実施形態の無線通信システムの概念図である。図１において、無線通信システムは、端末装置１Ａ〜１Ｃ、および基地局装置３を具備する。以下、端末装置１Ａ〜１Ｃを端末装置１という。
【００１４】
以下、キャリアアグリゲーションについて説明する。
【００１５】
本実施形態では、端末装置１は、１つまたは複数のサービングセルが設定される。端末装置１が複数のサービングセルを介して通信する技術をセルアグリゲーション、またはキャリアアグリゲーションと称する。端末装置１に対して設定される複数のサービングセルのそれぞれにおいて、本発明が適用されてもよい。また、設定された複数のサービングセルの一部において、本発明が適用されてもよい。また、設定された複数のサービングセルのグループのそれぞれにおいて、本発明が適用されてもよい。また、設定された複数のサービングセルのグループの一部において、本発明が適用されてもよい。キャリアアグリゲーションにおいて、設定された複数のサービングセルを集約されたサービングセルとも称する。以下、明示されない限り、本実施形態はプライマリーセル、または、１つのサービングセルに対して適用される。
【００１６】
本実施形態の無線通信システムは、ＴＤＤ（Time Division Duplex）および／またはＦＤＤ（Frequency Division Duplex）が適用される。セルアグリゲーションの場合には、
複数のサービングセルの全てに対してＦＤＤが適用されてもよい。セルアグリゲーションの場合には、複数のサービングセルの全てに対してＴＤＤが適用されてもよい。また、セルアグリゲーションの場合には、ＴＤＤが適用されるサービングセルとＦＤＤが適用されるサービングセルが集約されてもよい。
【００１７】
設定された１つまたは複数のサービングセルは、１つのプライマリーセルと０または０より多いセカンダリーセルとを含む。プライマリーセルは、初期コネクション確立（initial connection establishment）プロシージャが行なわれたセル、コネクション再確立（connection re-establishment）プロシージャを開始したセル、または、ハンドオーバプ
ロシージャにおいてプライマリーセルと指示されたセルである。ＲＲＣ（Radio Resource
Control）コネクションが確立された時点、または、後に、セカンダリーセルが設定／追加されてもよい。
【００１８】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。ＦＤＤにおいて、上りリンクコンポーネントキャリアと下りリンクコンポーネントキャリアは、異なるキャリア周波数に対応する。ＴＤＤにおいて、上りリンクコンポーネントキャリアと下りリンクコンポーネントキャリアは、同じキャリア周波数に対応する。
【００１９】
端末装置１は、複数のサービングセル（コンポーネントキャリア）において同時に複数の物理チャネルでの送信、および／または受信を行うことができる。１つの物理チャネルは、複数のサービングセル（コンポーネントキャリア）のうち１つのサービングセル（コンポーネントキャリア）において送信される。
【００２０】
図２は、本実施形態におけるキャリアアグリゲーションが設定された上りリンクに対するＭＡＣ層の構造の一例を示す図である。キャリアアグリゲーションが設定された上りリンクにおいて、サービングセル（上りリンクコンポーネントキャリア）毎に１つの独立し
たＨＡＲＱエンティティ（entity）が存在する。ＨＡＲＱエンティティは、複数のＨＡＲＱプロセスを並行して管理する。ＨＡＲＱプロセスはＨＡＲＱバッファに関連する。すなわち、ＨＡＲＱエンティティは複数のＨＡＲＱバッファに関連する。ＨＡＲＱプロセスは、ＭＡＣ層のデータをＨＡＲＱバッファにストアする。ＨＡＲＱプロセスは、該ＭＡＣ層のデータを送信するよう物理層に指示する。
【００２１】
キャリアアグリゲーションが設定された上りリンクにおいて、サービングセル毎にＴＴＩ（Transmission Time Interval）毎に少なくとも１つのトランスポートブロックが生成されてもよい。トランスポートブロックのそれぞれ、および、そのトランスポートブロックのＨＡＲＱ再送信は、１つのサービングセルにマップされる。ＴＴＩをサブフレームとも称する。トランスポートブロックは、ＵＬ−ＳＣＨ（uplink shared channel）で送信
されるＭＡＣ層のデータである。
【００２２】
本実施形態の上りリンクにおいて、「トランスポートブロック」、「ＭＡＣ  ＰＤＵ（Protocol Data Unit）」、「ＭＡＣ層のデータ」、「ＵＬ−ＳＣＨ」、「ＵＬ−ＳＣＨデータ」、および、「上りリンクデータ」は、同一のものとする。
【００２３】
本実施形態の物理チャネルおよび物理信号について説明する。
【００２４】
端末装置１から基地局装置３への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００２５】
ＰＵＣＣＨは、上りリンク制御情報（Uplink Control Information: UCI）を送信する
ために用いられる。上りリンク制御情報は、下りリンクのチャネル状態情報（Channel State Information: CSI）、初期送信のためのＰＵＳＣＨ（Uplink-Shared Channel: UL-SCH）リソースを要求するために用いられるスケジューリングリクエスト（Scheduling Request: SR）、下りリンクデータ（Transport block, Medium Access Control Protocol Data Unit: MAC PDU, Downlink-Shared Channel: DL-SCH, Physical Downlink Shared Channel: PDSCH）に対するＨＡＲＱ−ＡＣＫ（Hybrid Automatic Repeat request ACKnowledgement）を含む。ＨＡＲＱ−ＡＣＫは、ＡＣＫ（acknowledgement）またはＮＡＣＫ（negative-acknowledgement）を示す。ＨＡＲＱ−ＡＣＫを、ＡＣＫ／ＮＡＣＫ、ＨＡＲＱフィ
ードバック、ＨＡＲＱ応答、または、ＨＡＲＱ制御情報とも称する。
【００２６】
スケジューリングリクエストは、正のスケジューリングリクエスト（positive scheduling request）、または、負のスケジューリングリクエスト（negative scheduling request）を含む。正のスケジューリングリクエストは、初期送信のためのＵＬ−ＳＣＨリソースを要求することを示す。負のスケジューリングリクエストは、初期送信のためのＵＬ−ＳＣＨリソースを要求しないことを示す。
【００２７】
ＰＵＳＣＨは、上りリンクデータ（Uplink-Shared Channel: UL-SCH）を送信するため
に用いられる。また、ＰＵＳＣＨは、上りリンクデータと共にＨＡＲＱ−ＡＣＫおよび／またはチャネル状態情報を送信するために用いられてもよい。また、ＰＵＳＣＨはチャネル状態情報のみを送信するために用いられてもよい。また、ＰＵＳＣＨはＨＡＲＱ−ＡＣＫおよびチャネル状態情報のみを送信するために用いられてもよい。
【００２８】
ここで、基地局装置３と端末装置１は、上位層（higher layer）において信号をやり取
り（送受信）する。例えば、基地局装置３と端末装置１は、無線リソース制御（RRC: Radio Resource Control）層において、ＲＲＣシグナリングを送受信してもよい。また、基
地局装置３と端末装置１は、媒体アクセス制御（MAC: Medium Access Control）層において、ＭＡＣ  ＣＥを送受信してもよい。ここで、ＲＲＣシグナリング、および／または、ＭＡＣ  ＣＥを、上位層の信号（higher layer signaling）とも称する。ＲＲＣシグナリング、および／または、ＭＡＣ  ＣＥは、トランスポートブロックに含まれる。
【００２９】
本実施形態において、「ＲＲＣシグナリング」、「ＲＲＣ層の情報」、「ＲＲＣ層の信号」、「ＲＲＣ層のパラメータ」、「ＲＲＣメッセージ」、および、「ＲＲＣ情報要素」は、同一のものとする。
【００３０】
ＰＵＳＣＨは、ＲＲＣシグナリング、および、ＭＡＣ  ＣＥを送信するために用いられる。ここで、基地局装置３から送信されるＲＲＣシグナリングは、セル内における複数の端末装置１に対して共通のシグナリングであってもよい。また、基地局装置３から送信されるＲＲＣシグナリングは、ある端末装置１に対して専用のシグナリング（dedicated signalingとも称する）であっても良い。すなわち、ユーザ装置スペシフィック（ユーザ装
置固有）な情報は、ある端末装置１に対して専用のシグナリングを用いて送信される。
【００３１】
ＰＲＡＣＨは、ランダムアクセスプリアンブルを送信するために用いられる。ＰＲＡＣＨは、初期コネクション確立（initial connection establishment）プロシージャ、ハンドオーバプロシージャ、コネクション再確立（connection re-establishment）プロシー
ジャ、上りリンク送信に対する同期（タイミング調整）、およびＰＵＳＣＨ（ＵＬ−ＳＣＨ）リソースの要求を示すために用いられる。
【００３２】
上りリンクの無線通信では、以下の上りリンク物理信号が用いられる。上りリンク物理信号は、上位層から出力された情報を送信するために使用されないが、物理層によって使用される。
・上りリンク参照信号（Uplink Reference Signal: UL RS）
【００３３】
基地局装置３から端末装置１への下りリンクの無線通信では、以下の下りリンク物理チャネルが用いられる。下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
・ＰＭＣＨ（Physical Multicast Channel）
【００３４】
ＰＢＣＨは、端末装置１で共通に用いられるマスターインフォメーションブロック（Master Information Block: MIB, Broadcast Channel: BCH）を報知するために用いられる
。
【００３５】
ＰＣＦＩＣＨは、ＰＤＣＣＨの送信に用いられる領域（ＯＦＤＭシンボル）を指示する情報を送信するために用いられる。
【００３６】
ＰＨＩＣＨは、基地局装置３が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータ（ＨＡＲＱフィードバック、応答情報）を送信するため
に用いられる。
【００３７】
ＰＤＣＣＨおよびＥＰＤＣＣＨは、下りリンク制御情報（Downlink Control Information: DCI）を送信するために用いられる。本実施形態において、便宜的に「ＰＤＣＣＨ」
は「ＥＰＤＣＣＨ」を含むとする。下りリンク制御情報を、ＤＣＩフォーマットとも称する。１つのＰＤＣＣＨで送信される下りリンク制御情報は、下りリンクグラント（downlink grant）およびＨＡＲＱ情報、または、上りリンクグラント（uplink grant）およびＨＡＲＱ情報を含む。下りリンクグラントは、下りリンクアサインメント（downlink assignment）または下りリンク割り当て（downlink allocation）とも称する。下りリンクアサインメントおよび上りリンクグラントは、１つのＰＤＣＣＨで一緒に送信されない。下りリンクグラントおよび上りリンクグラントは、ＨＡＲＱ情報を含んでもよい。
【００３８】
下りリンクアサインメントは、単一のセル内の単一のＰＤＳＣＨのスケジューリングに用いられる。下りリンクアサインメントは、該下りリンクグラントが送信されたサブフレームと同じサブフレーム内のＰＤＳＣＨのスケジューリングに用いられる。
【００３９】
上りリンクグラントは、単一のセル内の単一のＰＵＳＣＨのスケジューリングに用いられてもよい。上りリンクグラントは、該上りリンクグラントが送信されたサブフレームより後のサブフレーム内の単一のＰＵＳＣＨのスケジューリングに用いられてもよい。
【００４０】
ＨＡＲＱ情報は、ＮＤＩ（New Data Indicator）およびトランスポートブロックサイズを示すための情報を含んでもよい。下りリンクアサインメントとともにＰＤＣＣＨで送信されるＨＡＲＱ情報は、下りリンクにおけるＨＡＲＱプロセスの番号を示す情報（downlink HARQ process Identifier/Identity, downlink HARQ process number）も含む。非同
期（asynchronous）ＨＡＲＱに関する上りリンクグラントとともにＰＤＣＣＨで送信されるＨＡＲＱ情報は、上りリンクにおけるＨＡＲＱプロセスの番号を示す情報（uplink HARQ process Identifier/Identity, uplink HARQ process number）も含んでもよい。同期
（synchronous）ＨＡＲＱに関する上りリンクグラントとともにＰＤＣＣＨで送信される
ＨＡＲＱ情報は、上りリンクにおけるＨＡＲＱプロセスの番号を示す情報（uplink HARQ process Identifier/Identity, uplink HARQ process number）を含まなくてもよい。
【００４１】
ＮＤＩは、初期送信、または、再送信を指示する。ＨＡＲＱエンティティは、あるＨＡＲＱプロセスに対して、ＨＡＲＱ情報によって提供されるＮＤＩが、該あるＨＡＲＱプロセスの前の送信に対するＮＤＩの値と比較してトグルされている場合、該ＨＡＲＱプロセスに初期送信をトリガーするよう指示する。ＨＡＲＱエンティティは、あるＨＡＲＱプロセスに対して、ＨＡＲＱ情報によって提供されるＮＤＩが、該あるＨＡＲＱプロセスの前の送信に対するＮＤＩの値と比較してトグルされていない場合、該ＨＡＲＱプロセスに再送信をトリガーするよう指示する。尚、ＨＡＲＱプロセスが、ＮＤＩがトグルされているかどうかを判定してもよい。
【００４２】
ＨＡＲＱエンティティは、上りリンクグラント、および、ＨＡＲＱ情報が対応するＨＡＲＱプロセスを特定し、特定したＨＡＲＱプロセスに上りリンクグラント、および、ＨＡＲＱ情報を渡す。ＨＡＲＱプロセスは、ＨＡＲＱエンティティから渡された上りリンクグラント、および、ＨＡＲＱ情報を記憶（store）する。
【００４３】
１つのＰＤＣＣＨで送信される下りリンク制御情報に付加されるＣＲＣ（Cyclic Redundancy Check）パリティビットは、Ｃ−ＲＮＴＩ（Cell-Radio Network Temporary Identifier）、ＳＰＳ（Semi Persistent Scheduling）Ｃ−ＲＮＴＩ、または、Ｔｅｍｐｏｒａｒｙ  Ｃ−ＲＮＴＩでスクランブルされる。Ｃ−ＲＮＴＩおよびＳＰＳ  Ｃ−ＲＮＴＩは、セル内において端末装置を識別するための識別子である。Ｔｅｍｐｏｒａｒｙ  Ｃ−Ｒ
ＮＴＩは、コンテンションベースランダムアクセス手順（contention based random access procedure）中に、ランダムアクセスプリアンブルを送信した端末装置１を識別するための識別子である。
【００４４】
Ｃ−ＲＮＴＩおよびＴｅｍｐｏｒａｒｙ  Ｃ−ＲＮＴＩは、単一のサブフレームにおけるＰＤＳＣＨ送信またはＰＵＳＣＨ送信を制御するために用いられる。ＳＰＳ  Ｃ−ＲＮＴＩは、ＰＤＳＣＨまたはＰＵＳＣＨのリソースを周期的に割り当てるために用いられる。
【００４５】
以下、明示されない限り、本実施形態において下りリンク制御情報に付加されるＣＲＣパリティビットは、Ｃ−ＲＮＴＩによってスクランブルされている。
【００４６】
ＰＤＳＣＨは、下りリンクデータ（Downlink Shared Channel: DL-SCH）を送信するた
めに用いられる。
【００４７】
ＰＭＣＨは、マルチキャストデータ（Multicast Channel: MCH）を送信するために用いられる。
【００４８】
下りリンクの無線通信では、以下の下りリンク物理信号が用いられる。下りリンク物理信号は、上位層から出力された情報を送信するために使用されないが、物理層によって使用される。
・同期信号（Synchronization signal: SS）
・下りリンク参照信号（Downlink Reference Signal: DL RS）
【００４９】
同期信号は、端末装置１が下りリンクの周波数領域および時間領域の同期をとるために用いられる。ＴＤＤ方式において、同期信号は無線フレーム内のサブフレーム０、１、５、６に配置される。ＦＤＤ方式において、同期信号は無線フレーム内のサブフレーム０と５に配置される。
【００５０】
下りリンク参照信号は、端末装置１が下りリンク物理チャネルの伝搬路補正を行なうために用いられる。下りリンク参照信号は、端末装置１が下りリンクのチャネル状態情報を算出するために用いられる。
【００５１】
本実施形態において、以下の５つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（Demodulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
・ＭＢＳＦＮ  ＲＳ（Multimedia Broadcast and Multicast Service over Single Frequency Network Reference signal）
・ＰＲＳ（Positioning Reference Signal）
【００５２】
下りリンク物理チャネルおよび下りリンク物理信号を総称して、下りリンク信号と称する。上りリンク物理チャネルおよび上りリンク物理信号を総称して、上りリンク信号と称する。下りリンク物理チャネルおよび上りリンク物理チャネルを総称して、物理チャネルと称する。下りリンク物理信号および上りリンク物理信号を総称して、物理信号と称する。
【００５３】
ＢＣＨ、ＭＣＨ、ＵＬ−ＳＣＨおよびＤＬ−ＳＣＨは、トランスポートチャネルである。ＭＡＣ（Medium Access Control）層で用いられるチャネルをトランスポートチャネル
と称する。ＭＡＣ層で用いられるトランスポートチャネルの単位を、トランスポートブロック（transport block: TB）またはＭＡＣ  ＰＤＵ（Protocol Data Unit）とも称する
。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００５４】
本実施形態の無線フレーム（radio frame）の構造（structure）について説明する。
【００５５】
本実施形態において、２つの無線フレーム構造がサポートされる。２つの無線フレーム構造は、フレーム構造タイプ１とフレーム構造タイプ２である。フレーム構造タイプ１はＦＤＤに適用可能である。フレーム構造タイプ２はＴＤＤに適用可能である。
【００５６】
図３は、本実施形態の無線フレームの概略構成を示す図である。図３において、横軸は時間軸である。また、タイプ１およびタイプ２の無線フレームのそれぞれは、１０ｍｓ長であり、１０のサブフレームによって定義される。サブフレームのそれぞれは、１ｍｓ長であり、２つの連続するスロットによって定義される。スロットのそれぞれは、０．５ｍｓ長である。無線フレーム内のｉ番目のサブフレームは、（２×ｉ）番目のスロットと（２×ｉ＋１）番目のスロットとから構成される。
【００５７】
また、上述した１つのサブフレームに含まれるシンボルの数は、送信および／または受信に用いられる物理チャネルに対するサブキャリア間隔（Subcarrier Spacing）に基づいて規定されてもよい。例えば、該サブキャリア間隔が１５ｋＨｚの場合には、１つのサブフレームに含まれるシンボルの数は１４シンボルであってもよい。また、該サブキャリア間隔が３０ｋＨｚの場合には、１つのサブフレームに含まれるシンボルの数は２８シンボルであってもよい。ここで、サブキャリア間隔は、３.７５ｋＨｚ、７．５ｋＨｚ、１５
ｋＨｚ、３０ｋＨｚ、６０ｋＨｚ、１２０ｋＨｚ、２４０ｋＨｚ内の何れであってもよい。サブキャリア間隔を狭くするとシンボル長は長くなり、サブキャリア間隔を広くするとシンボル長は短くなることは自明である。上りリンク送信に用いられるシンボルは、ＯＦＤＭ（ＣＰ−ＯＦＤＭ、Ｃｙｃｌｉｃ  Ｐｒｅｆｉｘ−ＯＦＤＭ）シンボル、または、ＳＣ−ＦＤＭＡ（ＤＦＴ−Ｓ−ＯＦＤＭ）シンボルである。下りリンク送信に用いられるシンボルは、ＯＦＤＭシンボルシンボルである。また、サブフレームは、１、または、複数のスロットを含んでもよい。
【００５８】
フレーム構造タイプ２に対して、以下の３つのタイプのサブフレームが定義される。
・下りリンクサブフレーム
・上りリンクサブフレーム
・スペシャルサブフレーム
【００５９】
下りリンクサブフレームは下りリンク送信のためにリザーブされるサブフレームである。上りリンクサブフレームは上りリンク送信のためにリザーブされるサブフレームである。スペシャルサブフレームは３つのフィールドから構成される。該３つのフィールドは、ＤｗＰＴＳ（Downlink Pilot Time Slot）、ＧＰ（Guard Period）、およびＵｐＰＴＳ（Uplink Pilot Time Slot）である。ＤｗＰＴＳ、ＧＰ、およびＵｐＰＴＳの合計の長さは１ｍｓである。ＤｗＰＴＳは下りリンク送信のためにリザーブされるフィールドである。ＵｐＰＴＳは上りリンク送信のためにリザーブされるフィールドである。ＧＰは下りリンク送信および上りリンク送信が行なわれないフィールドである。尚、スペシャルサブフレームは、ＤｗＰＴＳおよびＧＰのみによって構成されてもよいし、ＧＰおよびＵｐＰＴＳ
のみによって構成されてもよい。
【００６０】
フレーム構造タイプ２の無線フレームは、少なくとも下りリンクサブフレーム、上りリンクサブフレーム、およびスペシャルサブフレームから構成される。フレーム構造タイプ２の無線フレームの構成は、ＵＬ−ＤＬ設定（uplink-downlink configuration）によっ
て示される。端末装置１は、基地局装置３からＵＬ−ＤＬ設定を示す情報を受信する。図４は、本実施形態におけるＵＬ−ＤＬ設定の一例を示す表である。図４において、Ｄは下りリンクサブフレームを示し、Ｕは上りリンクサブフレームを示し、Ｓはスペシャルサブフレームを示す。
【００６１】
以下、ＰＤＣＣＨのモニタリングについて説明する。
【００６２】
モニタすることは、あるＤＣＩフォーマットに応じてＰＤＣＣＨのデコードを試みることを意味する。ＰＤＣＣＨは、ＰＤＣＣＨ候補において送信される。端末装置１は、サービングセルにおいてＰＤＣＣＨ候補（candidate）のセットをモニタする。ＰＤＣＣＨ候
補のセットをサーチスペースと称する。サーチスペース、および／または、サーチスペースのタイプは、コモンサーチスペース（Common Search Space, CSS）、および、ＵＥ固有サーチスペース（UE-specific Search Space, USS）を少なくとも含む。ＵＥ固有サーチ
スペースは、少なくとも、端末装置１がセットしているＣ−ＲＮＴＩの値から導き出される。すなわち、ＵＥ固有サーチスペースは、端末装置１毎に個別に導き出される。コモンサーチスペースは、複数の端末装置１の間で共通のサーチスペースであり、予め定められたインデックスのＣＣＥ（Control Channel Element）から構成される。ＣＣＥは、複数
のリソースエレメントから構成される。
【００６３】
以下は、本実施形態に係る下りリンク送信（ＰＤＳＣＨ）に対するＨＡＲＱ−ＡＣＫの送信タイミングについて説明する。
【００６４】
ＰＤＳＣＨに対するＨＡＲＱ−ＡＣＫの送信タイミングについては、ＦＤＤに対して、端末装置１がサブフレームｎ−ｊにおけるＰＤＳＣＨを検出した場合、端末装置１は、サブフレームｎにおいて、ＰＤＳＣＨに対するＨＡＲＱ−ＡＣＫを送信する。即ち、ＰＤＳＣＨに対するＨＡＲＱ−ＡＣＫの送信タイミングはＰＤＳＣＨが送信されたサブフレームよりｊ後のサブフレームである。
【００６５】
以下は、本実施形態に係る上りリンクグラントに対するＰＵＳＣＨの送信タイミングについて説明する。
【００６６】
上りリンクグラントに対するＰＵＳＣＨの送信タイミングについては、ＦＤＤに対して、端末装置１がサブフレームｎにおけるＰＤＣＣＨ（上りリンクグラント）を検出した場合、端末装置１は、サブフレームｎ＋ｋにおいて、当該上りリンクグラントに対するＰＵＳＣＨを送信する。即ち、上りリンクグラントに対するＰＵＳＣＨの送信タイミングは上りリンクグラントが検出されたサブフレームよりｋ後のサブフレームである。
【００６７】
ＦＤＤに対して、ｋとｊは４であってもよい。４であるｋとｊをノーマルタイミング（normal timing,ノーマル処理時間）と称してもよい。ノーマル処理時間の場合、ＰＤＳＣＨに対するＨＡＲＱ−ＡＣＫの送信タイミング、および、上りリンクグラントに対するＰＵＳＣＨの送信タイミングは４つのサブフレームである。
【００６８】
また、ｋおよび／またはｊの値は４より小さい値であってもよい。例えば、ｋおよび／またはｊの値は３であってもよい。ｋおよび／またはｊの値は端末装置１の処理能力によって、決定されてもよい。４より小さい値であるｋとｊは短縮タイミング（reduced proc
essing time、短縮処理時間）とも称してもよい。短縮処理時間の場合、ＰＤＳＣＨに対
するＨＡＲＱ−ＡＣＫの送信タイミング、および、上りリンクグラントに対するＰＵＳＣＨの送信タイミングは４つより少ないサブフレームである。即ち、端末装置１の短縮処理能力は、短縮処理時間を用いて、データの送受信を行う能力である。ここで、ｋおよび／またはｊの値は仕様書などによって定義され、基地局装置３と端末装置１との間において、既知の値であってもよい。
【００６９】
ここで、端末装置１の処理能力は端末装置１の能力情報（ケーパビリティ情報）によって、示されてもよい。本実施形態において、端末装置１の短縮能力情報とは、ノーマル処理時間を短縮する能力をサポートすること（またはサポートしないこと）を示すことに関連する端末装置１の能力情報であってもよい。短縮処理能力を持つ端末装置１は、ノーマル処理時間より短い処理時間（短縮処理時間）を用いて、データの送受信を行える。
【００７０】
基地局装置３（ＥＵＴＲＡＮ）が端末装置１の能力情報が必要な時、基地局装置３は接続モードの端末装置１（つまり、ＲＲＣ接続が確立している端末装置１）の能力情報の取得に関する手順を開始する。基地局装置３は、端末装置１の能力情報（例えば、短縮処理能力）を問い合わせる。端末装置１は、その問い合わせに応じて端末装置１の能力情報を基地局装置３に送信する。基地局装置３は、端末装置１の能力情報に基づいて端末装置１が所定の能力に対応しているか否かを判断する。基地局装置３は、端末装置１が所定の能力に対応している場合には、その所定の能力に対応した設定情報を、上位層シグナリングなどを用いて端末装置１へ送信する。端末装置１は、能力情報に対応する設定情報が設定されるかどうかに基づいて、その能力に基づく送受信を行うか、その能力に基づかず送受信を行うかを判断する。例えば、短縮処理能力に対応する設定情報は、ＲＲＣ層のパラメータｓｈｏｒｔＰｒｏｃｅｓｓｉｎｇＴｉｍｅとして定義されてもよい。ＲＲＣ層のパラメータｓｈｏｒｔＰｒｏｃｅｓｓｉｎｇＴｉｍｅが設定されている端末装置１は、短縮処理時間を用いて、データを送受信してもよい。また、ＲＲＣ層のパラメータｓｈｏｒｔＰｒｏｃｅｓｓｉｎｇＴｉｍｅが設定されていない端末装置１は、ノーマル処理時間を用いて、データを送受信してもよい。
【００７１】
ＲＲＣ層のパラメータｓｈｏｒｔＰｒｏｃｅｓｓｉｎｇＴｉｍｅは、あるサービングセルにおいて、短縮処理時間に基づくデータの送受信を実行するか否かを示すパラメータである。ここで、ＲＲＣパラメータｓｈｏｒｔＰｒｏｃｅｓｓｉｎｇＴｉｍｅが設定されることは、上位層シグナリングにより送信されたパラメータｓｈｏｒｔＰｒｏｃｅｓｓｉｎｇＴｉｍｅの値がＴｒｕｅであることを示す。パラメータｓｈｏｒｔＰｒｏｃｅｓｓｉｎｇＴｉｍｅの値がＴｒｕｅに設定されることは、短縮処理時間（例えば、３ｍｓ）を用いて送受信を行うことを含んでもよい。以下、ＲＲＣパラメータｓｈｏｒｔＰｒｏｃｅｓｓｉｎｇＴｉｍｅが設定されていないことは、上位層シグナリングにより送信されたパラメータｓｈｏｒｔＰｒｏｃｅｓｓｉｎｇＴｉｍｅの値がＦａｌｓｅであることを示してもよいし、受信された上位層シグナリング（上位層情報）にＲＲＣパラメータｓｈｏｒｔＰｒｏｃｅｓｓｉｎｇＴｉｍｅが含まれないことを示してもよい。パラメータｓｈｏｒｔＰｒｏｃｅｓｓｉｎｇＴｉｍｅの値がＦａｌｓｅに設定されることは、ノーマル処理時間（例えば、４ｍｓ）を用いて送受信を行うことを含んでもよい。
【００７２】
なお、ＲＲＣパラメータｓｈｏｒｔＰｒｏｃｅｓｓｉｎｇＴｉｍｅは、サービングセルで定義（規定）されてもよい。即ち、基地局装置３は、サービングセルのそれぞれに対して、ＲＲＣパラメータｓｈｏｒｔＰｒｏｃｅｓｓｉｎｇＴｉｍｅを設定するか否かを端末装置１へ送信（通知）してもよい。あるサービングセルのためのＲＲＣパラメータｓｈｏｒｔＰｒｏｃｅｓｓｉｎｇＴｉｍｅが設定されていない端末装置１は、該サービングセルにおいて、ノーマル処理時間を用いて送受信を行ってもよい。あるサービングセルのためのＲＲＣパラメータｓｈｏｒｔＰｒｏｃｅｓｓｉｎｇＴｉｍｅが設定されている端末装置
１は、該サービングセルにおいて、短縮処理時間（例えば、３ｍｓ）を用いて送受信を行ってもよい。ここで、ＲＲＣパラメータｓｈｏｒｔＰｒｏｃｅｓｓｉｎｇＴｉｍｅが設定されているサービングセルにおける下りリンクアサインメント、または、上りリンクグラントがコモンサーチスペースで検出されているならば、端末装置１はノーマル処理時間を用いて送受信を行ってもよい。また、該サービングセルにおける下りリンクアサインメント、または、上りリンクグラントがＵＥ固有サーチスペースで検出されているならば、端末装置１は、短縮処理時間を用いて送受信を行ってもよい。あるサービングセルに対して、ＲＲＣパラメータｓｈｏｒｔＰｒｏｃｅｓｓｉｎｇＴｉｍｅを設定するかどうかは、上位層（ＲＲＣ）の任意（optional）である。
【００７３】
また、ＲＲＣパラメータｓｈｏｒｔＰｒｏｃｅｓｓｉｎｇＴｉｍｅは、ＰＵＣＣＨグループ（ＰＵＣＣＨ Group）毎で定義（規定）されてもよい。基地局装置３は、ＰＵＣＣＨグループのそれぞれに対して、ＲＲＣパラメータｓｈｏｒｔＰｒｏｃｅｓｓｉｎｇＴｉｍｅが設定されるか否かを端末装置１へ送信（通知）してもよい。同じＰＵＣＣＨグループ（ＰＵＣＣＨ Group）に属するサービングセルの各々に対して、ＲＲＣパラメータｓｈｏｒｔＰｒｏｃｅｓｓｉｎｇＴｉｍｅに関する設定が適用されてもよい。例えば。あるＰＵＣＣＨグループのためのＲＲＣパラメータｓｈｏｒｔＰｒｏｃｅｓｓｉｎｇＴｉｍｅが設定されている端末装置１は、該ＰＵＣＣＨグループに属するサービングセルにおいて、短縮処理時間を用いて送受信を行ってもよい。あるＰＵＣＣＨグループのためのＲＲＣパラメータｓｈｏｒｔＰｒｏｃｅｓｓｉｎｇＴｉｍｅが設定されていない端末装置１は、該ＰＵＣＣＨグループに属するサービングセルにおいて、ノーマル処理時間を用いて送受信を行ってもよい。ここで、ＲＲＣパラメータｓｈｏｒｔＰｒｏｃｅｓｓｉｎｇＴｉｍｅが設定されているＰＵＣＣＨグループに属するサービングセルにおける下りリンクアサインメント、または、上りリンクグラントがコモンサーチスペースで検出されているならば、端末装置１はノーマル処理時間を用いて送受信を行ってもよい。また、ＲＲＣパラメータｓｈｏｒｔＰｒｏｃｅｓｓｉｎｇＴｉｍｅが設定されているＰＵＣＣＨグループに属するサービングセルにおける下りリンクアサインメント、または、上りリンクグラントがＵＥ固有サーチスペースで検出されているならば、端末装置１は、短縮処理時間を用いて送受信を行ってもよい。
【００７４】
ＰＵＣＣＨグループはプライマリーＰＵＣＣＨグループ（Ｐｒｉｍａｒｙ  ＰＵＣＣＨ
Group）とセカンダリーＰＵＣＣＨグループ（Ｓｅｃｏｎｄａｒｙ  ＰＵＣＣＨ  Group）を含む。プライマリーＰＵＣＣＨグループは、ＰＵＣＣＨが設定されるプライマリーセルを含む複数のサービングセルのグループである。セカンダリーＰＵＣＣＨグループは、ＰＵＣＣＨが設定されるセカンダリーセルを少なくとも含む複数のセカンダリーセルのグループである。
【００７５】
以下、ＤＣＩフォーマットのタイプについて説明する。
【００７６】
ＤＣＩフォーマットは、ＤＣＩフォーマット０、ＤＣＩフォーマット０Ｃ、および、ＤＣＩフォーマット０Ｄを含む。ＤＣＩフォーマット０、ＤＣＩフォーマット０Ｃ、および、ＤＣＩフォーマット０Ｄは、上りリンクグラントを含み、且つ、１つのセルにおけるＰＵＳＣＨのスケジューリングのために用いられる。ＤＣＩフォーマット０、ＤＣＩフォーマット０Ｃ、また、ＤＣＩフォーマット０Ｄに含まれる上りリンクグラントを、ＰＤＣＣＨに含まれる上りリンクグラントとも称する。ＤＣＩフォーマット０は、同期ＨＡＲＱ、および、非同期ＨＡＲＱのために用いられてもよい。ＤＣＩフォーマット０Ｃ、および、ＤＣＩフォーマット０Ｄは、非同期ＨＡＲＱのために用いられてもよい。ＤＣＩフォーマット０Ｃ、および、ＤＣＩフォーマット０Ｄは、同期ＨＡＲＱのために用いられない。
【００７７】
ＤＣＩフォーマット０は、“Ｒｅｐｅｔｉｔｉｏｎ ｎｕｍｂｅｒ”フィールド、“Ｒ
ｅｄｕｎｄａｎｃｙ  ｖｅｒｓｉｏｎ”フィールド、および、“ＨＡＲＱ  ｐｒｏｃｅｓｓ  ｎｕｍｂｅｒ”フィールドを含まない。端末装置１は、ＤＣＩフォーマット０を含むＰＤＣＣＨの検出に基づいて、１つのサブフレームにおいてＰＵＳＣＨの送信を実行する。
【００７８】
ＤＣＩフォーマット０Ｃは、“Ｒｅｐｅｔｉｔｉｏｎ ｎｕｍｂｅｒ”フィールド、お
よび、“ＨＡＲＱ  ｐｒｏｃｅｓｓ  ｎｕｍｂｅｒ”フィールドを含む。サービングセルのためのＲＲＣ層のパラメータＰＵＳＣＨＥｎｈ−Ｃｏｎｆｉｇｕｒａｔｉｏｎが設定されている端末装置１は、ＤＣＩフォーマット０Ｃを含むＰＤＣＣＨの検出に基づいて、サブフレームのセットにおいてＰＵＳＣＨの送信を実行する。当該サブフレームのセットは、１つ、または、複数のサブフレームを含む。当該サブフレームのセットに含まれるサブフレームの数は、“Ｒｅｐｅｔｉｔｉｏｎ ｎｕｍｂｅｒ”フィールドによって与えられ
る。ＤＣＩフォーマット０ＣによってスケジュールされるＰＵＳＣＨの送信は、複数のサブフレームにおいて繰り返し送信されてもよい。ＤＣＩフォーマット０ＣによってスケジュールされるＰＵＳＣＨの送信は、１つのサブフレームにおいて送信されてもよい。“ＨＡＲＱ  ｐｒｏｃｅｓｓ  ｎｕｍｂｅｒ”フィールドは、ＨＡＲＱエンティティがＨＡＲＱプロセスを特定するために用いられる。
【００７９】
ＤＣＩフォーマット０Ｄは、上りリンクグラントを含み、ＰＵＳＣＨのスケジューリングのために用いられる。ＤＣＩフォーマット０Ｄは、“Ｒｅｄｕｎｄａｎｃｙ  ｖｅｒｓｉｏｎ”フィールド、および、“ＨＡＲＱ  ｐｒｏｃｅｓｓ  ｎｕｍｂｅｒ”フィールドを含む。ここで、ＤＣＩフォーマット０Ｄは、短縮処理時間が設定されているサービングセルにおけるＰＵＳＣＨのスケジューリングに用いられてもよい。ＤＣＩフォーマット０ＤによってスケジュールされるＰＵＳＣＨの送信は、１つのサブフレームにおいて送信されてもよい。“ＨＡＲＱ  ｐｒｏｃｅｓｓ  ｎｕｍｂｅｒ”フィールドは、ＨＡＲＱエンティティがＨＡＲＱプロセスを特定するために用いられる。なお、ＤＣＩフォーマット０、ＤＣＩフォーマット０Ｃ、および、ＤＣＩフォーマット０Ｄは、上りリンクグラントと称されてもよい。
【００８０】
サービングセルのためのＲＲＣ層のパラメータＰＵＳＣＨＥｎｈ−Ｃｏｎｆｉｇｕｒａｔｉｏｎが設定されていない端末装置１は、サービングセルにおける、コモンサーチスペース、および、ＵＥ固有サーチスペースにおいてＤＣＩフォーマット０を含むＰＤＣＣＨをデコードしてもよい。サービングセルのためのＲＲＣ層のパラメータＰＵＳＣＨＥｎｈ−Ｃｏｎｆｉｇｕｒａｔｉｏｎが設定されている端末装置１は、サービングセルにおけるコモンサーチスペースにおいてＤＣＩフォーマット０を含むＰＤＣＣＨをデコードしてもよく、且つ、サービングセルにおけるＵＥ固有サーチスペースにおいてＤＣＩフォーマット０Ｃを含むＰＤＣＣＨをデコードしてもよい。サービングセルのためのＲＲＣ層のパラメータＰＵＳＣＨＥｎｈ−Ｃｏｎｆｉｇｕｒａｔｉｏｎが設定されている端末装置１は、サービングセルにおけるＵＥ固有サーチスペースにおいてＤＣＩフォーマット０を含むＰＤＣＣＨをデコードしなくてもよい。
【００８１】
サービングセルのためのＲＲＣ層のパラメータＰＵＳＣＨＥｎｈ−Ｃｏｎｆｉｇｕｒａｔｉｏｎが設定されていない場合、前記サービングセルの上りリンクに対して同期ＨＡＲＱが適用されてもよい。サービングセルのためのＲＲＣ層のパラメータＰＵＳＣＨＥｎｈ−Ｃｏｎｆｉｇｕｒａｔｉｏｎが設定されている場合、前記サービングセルの上りリンクに対して非同期ＨＡＲＱが適用されてもよい。ＲＲＣ層のパラメータＰＵＳＣＨＥｎｈ−Ｃｏｎｆｉｇｕｒａｔｉｏｎが設定されていることを、ＰＵＳＣＨエンハンスメントモードが設定されているとも称する。ＲＲＣ層のパラメータＰＵＳＣＨＥｎｈ−Ｃｏｎｆｉｇｕｒａｔｉｏｎが設定されていないことを、ＰＵＳＣＨエンハンスメントモードが設定されていないとも称する。端末装置１は、基地局装置３から受信したＲＲＣ層の情報に基づ
いて、ＲＲＣ層のパラメータＰＵＳＣＨＥｎｈ−Ｃｏｎｆｉｇｕｒａｔｉｏｎを設定してもよい。端末装置１は、基地局装置３から受信したＲＲＣ層の情報に基づいて、ＲＲＣ層のパラメータＰＵＳＣＨＥｎｈ−Ｃｏｎｆｉｇｕｒａｔｉｏｎをリリースしてもよい。
【００８２】
サービングセルのためのＲＲＣ層のパラメータｓｈｏｒｔＰｒｏｃｅｓｓｉｎｇＴｉｍｅが設定されていない端末装置１は、該サービングセルにおける、コモンサーチスペース、および、ＵＥ固有サーチスペースにおいてＤＣＩフォーマット０を含むＰＤＣＣＨをデコードしてもよい。サービングセルのためのＲＲＣ層のパラメータｓｈｏｒｔＰｒｏｃｅｓｓｉｎｇＴｉｍｅが設定されていない端末装置１は、該サービングセルにおける、ＵＥ固有サーチスペースにおいてＤＣＩフォーマット０Ｄを含むＰＤＣＣＨをデコードしなくてもよい。該ＤＣＩフォーマット０は、上りリンク同期ＨＡＲＱのために用いられてもよい。
【００８３】
サービングセルのためのＲＲＣ層のパラメータｓｈｏｒｔＰｒｏｃｅｓｓｉｎｇＴｉｍｅが設定されている端末装置１は、該サービングセルにおけるコモンサーチスペースにおいてＤＣＩフォーマット０を含むＰＤＣＣＨをデコードしてもよく、且つ、該サービングセルにおけるＵＥ固有サーチスペースにおいてＤＣＩフォーマット０Ｄを含むＰＤＣＣＨをデコードしてもよい。サービングセルのためのＲＲＣ層のパラメータｓｈｏｒｔＰｒｏｃｅｓｓｉｎｇＴｉｍｅが設定されている端末装置１は、該サービングセルにおけるＵＥ固有サーチスペースにおいてＤＣＩフォーマット０を含むＰＤＣＣＨをデコードしなくてもよい。該ＤＣＩフォーマット０Ｄは、上りリンク非同期ＨＡＲＱのために用いられてもよい。該ＤＣＩフォーマット０Ｄは、上りリンク同期ＨＡＲＱのために用いられない。上りリンクＨＡＲＱプロセスの番号は、ＤＣＩフォーマット０Ｄに含まれるＨＡＲＱ  ｐｒｏｃｅｓｓ  ｎｕｍｂｅｒ”フィールドによって与えられる。ＦＤＤの場合、端末装置１は、ＵＥ固有サーチスペースにおいてＤＣＩフォーマット０Ｄを含むＰＤＣＣＨのデコードに基づいて、ＰＤＣＣＨをデコードしたサブフレームより３つ後のサブフレームにおいて、ＰＵＳＣＨの送信を実行してもよい。また、端末装置１は、コモンサーチスペースにおいてＤＣＩフォーマット０を含むＰＤＣＣＨのデコードに基づいて、ＰＤＣＣＨをデコードしたサブフレームより４つ後のサブフレームにおいて、ＰＵＳＣＨの送信を実行してもよい。
【００８４】
端末装置１がサブフレームｎにおけるＰＤＣＣＨ（上りリンクグラント、ＤＣＩフォーマット０、ＤＣＩフォーマット０Ｄ）を検出した場合、端末装置１は、サブフレームｎ＋ｋにおいて、当該上りリンクグラントに対するＰＵＳＣＨを送信する。サービングセルのためのＲＲＣ層のパラメータｓｈｏｒｔＰｒｏｃｅｓｓｉｎｇＴｉｍｅが設定されていない、且つ、サブフレームｎにおけるコモンサーチスペースまたはＵＥ固有サーチスペースにおいてＰＤＣＣＨ（上りリンクグラント、ＤＣＩフォーマット０）が検出された場合、ｋは４であってもよい。サービングセルのためのＲＲＣ層のパラメータｓｈｏｒｔＰｒｏｃｅｓｓｉｎｇＴｉｍｅが設定されており、且つ、サブフレームｎにおけるコモンサーチスペースにおいてＰＤＣＣＨ（上りリンクグラント、ＤＣＩフォーマット０）が検出された場合、ｋは４であってもよい。サービングセルのためのＲＲＣ層のパラメータｓｈｏｒｔＰｒｏｃｅｓｓｉｎｇＴｉｍｅが設定されており、且つ、サブフレームｎにおけるＵＥ固有サーチスペースにおいてＰＤＣＣＨ（上りリンクグラント、ＤＣＩフォーマット０Ｄ）が検出された場合、ｋは３であってもよい。
【００８５】
サブフレームｎにおいてＲＡ−ＲＮＴＩを含むＰＤＣＣＨが検出された場合、端末装置１は、サブフレームｎにおいてランダムアクセスレスポンスを含むＰＤＳＣＨを受信してもよい。ここで、ＲＡ−ＲＮＴＩを含むＰＤＣＣＨに含まれる下りリンクアサインメントは、ランダムアクセスレスポンスを含むＰＤＳＣＨのスケジューリングのために用いられる。
【００８６】
ランダムアクセスレスポンスに含まれる上りリンクグラントを、ランダムアクセスレスポンスグラントと称する。ランダムアクセスレスポンスグラントは、ＰＵＳＣＨのスケジューリングのために用いられる。コンテンションベースランダムアクセス手順（contention based random access procedure）に対応するランダムアクセスレスポンスに含まれる上りリンクグラントは、“Ｒｅｐｅｔｉｔｉｏｎ ｎｕｍｂｅｒ”フィールド、および、
“ＨＡＲＱ  ｐｒｏｃｅｓｓ  ｎｕｍｂｅｒ”フィールドを含まない。非コンテンションベースランダムアクセス手順（non-contention based random access procedure）に対応するランダムアクセスレスポンスに含まれる上りリンクグラントは、“ＨＡＲＱ  ｐｒｏｃｅｓｓ  ｎｕｍｂｅｒ”フィールドを含まない。非コンテンションベースランダムアクセス手順（non-contention based random access procedure）に対応するランダムアクセスレスポンスであって、ＲＲＣ層のパラメータＰＵＳＣＨＥｎｈ−Ｃｏｎｆｉｇｕｒａｔｉｏｎが設定されていない端末装置１に対するランダムアクセスレスポンスに含まれる上りリンクグラントは、“Ｒｅｐｅｔｉｔｉｏｎ ｎｕｍｂｅｒ”フィールドを含まない。
非コンテンションベースランダムアクセス手順（non-contention based random access procedure）に対応するランダムアクセスレスポンスであって、ＲＲＣ層のパラメータＰＵＳＣＨＥｎｈ−Ｃｏｎｆｉｇｕｒａｔｉｏｎが設定されている端末装置１に対するランダムアクセスレスポンスに含まれる上りリンクグラントは、“Ｒｅｐｅｔｉｔｉｏｎ ｎｕ
ｍｂｅｒ”フィールドを含む。
【００８７】
また、非コンテンションベースランダムアクセス手順（non-contention based random access procedure）に対応するランダムアクセスレスポンスであって、ＲＲＣ層のパラメータｓｈｏｒｔＰｒｏｃｅｓｓｉｎｇＴｉｍｅが設定されていない端末装置１に対するランダムアクセスレスポンスに含まれる上りリンクグラントは、“ＨＡＲＱ  ｐｒｏｃｅｓｓ  ｎｕｍｂｅｒ”フィールドを含まない。非コンテンションベースランダムアクセス手順（non-contention based random access procedure）に対応するランダムアクセスレスポンスであって、ＲＲＣ層のパラメータｓｈｏｒｔＰｒｏｃｅｓｓｉｎｇＴｉｍｅが設定されている端末装置１に対するランダムアクセスレスポンスに含まれる上りリンクグラントは、“ＨＡＲＱ  ｐｒｏｃｅｓｓ  ｎｕｍｂｅｒ”フィールドを含まなくてもよい。即ち、非コンテンションベースランダムアクセス手順（non-contention based random access procedure）に対応するランダムアクセスレスポンスに含まれる上りリンクグラントは、ＲＲＣ層のパラメータｓｈｏｒｔＰｒｏｃｅｓｓｉｎｇＴｉｍｅが設定されているか否かと関わらず、“ＨＡＲＱ  ｐｒｏｃｅｓｓ  ｎｕｍｂｅｒ”フィールドを含まなくてもよい。言い換えると、非コンテンションベースランダムアクセス手順（non-contention based random access procedure）に対応するランダムアクセスレスポンスに含まれる上りリンクグラントは、ＲＲＣ層のパラメータｓｈｏｒｔＰｒｏｃｅｓｓｉｎｇＴｉｍｅが設定されているか否かと関わらず、上りリンク同期ＨＡＲＱのために用いられてもよい。
【００８８】
サブフレームｎにおいてＲＡ−ＲＮＴＩを含むＰＤＣＣＨが検出された場合、端末装置１は、ランダムアクセスレスポンスに含まれる情報（ランダムアクセスレスポンスグラント）に基づいて、ＰＵＳＣＨ送信のための最初に利用可能な上りリンクサブフレーム（first available subframe）ｎ＋ｋ（ｋ≧６）、または、当該ＰＵＳＣＨ送信のための最初に利用可能な上りリンクサブフレームｎ＋ｋの後の次に利用可能な上りリンクサブフレームにおいて、ＰＵＳＣＨを送信する。
【００８９】
ランダムアクセスレスポンスグラントに含まれる遅延フィールドが０にセットされている場合、ＰＵＳＣＨは当該ＰＵＳＣＨ送信のための最初に利用可能な上りリンクサブフレームｎ＋ｋ（ｋ≧６）において送信される。ランダムアクセスレスポンスグラントに含まれる遅延フィールドが１にセットされている場合、ＰＵＳＣＨは当該ＰＵＳＣＨ送信のための最初に利用可能な上りリンクサブフレームｎ＋ｋ（ｋ≧６）の後の次に利用可能な上
りリンクサブフレームにおいて送信される。
【００９０】
以下、ランダムアクセス手順について説明する。ここで、ランダムアクセス手順のタイプは、少なくとも、コンテンションベースランダムアクセス手順と非コンテンションベースランダムアクセス手順を含む。
【００９１】
本実施形態において、プライマリーセルにおいてランダムアクセス手順が実行されてもよい。ただし、時間領域における何れのポイントにおいても１つのランダムアクセス手順のみが実行される。すなわち、複数のランダムアクセス手順は同時に実行されない。
【００９２】
本実施形態において、プライマリーセルにおいてコンテンションベースランダムアクセス手順（contention based random access procedure）、および、非コンテンションベースランダムアクセス手順（non-contention based random access procedure）が実行されてもよい。
【００９３】
プライマリーセルにおけるＰＲＡＣＨでランダムアクセスプリアンブルが送信されてもよい。端末装置１は、プライマリーセルにおけるランダムアクセス手順に関する情報（ＲＲＣメッセージ）を、基地局装置３から受信する。プライマリーセルにおけるランダムアクセス手順に関する情報は、プライマリーセルにおけるＰＲＡＣＨリソースのセットを示す情報を含む。
【００９４】
コンテンションベースランダムアクセス手順の場合、端末装置１自身によってランダムアクセスプリアンブルのインデックスが選択される。非コンテンションベースランダムアクセス手順の場合、端末装置１によって基地局装置３から受信した情報に基づいてランダムアクセスプリアンブルのインデックスが選択される。ここで、当該端末装置１によって基地局装置３から受信した情報は、ＰＤＣＣＨに含まれてもよい。基地局装置３から受信した情報のビットの値が全て０である場合、端末装置１によってコンテンションベースランダムアクセス手順が実行され、端末装置１自身によってランダムアクセスプリアンブルのインデックスが選択される。
【００９５】
プライマリーセルに対するランダムアクセスレスポンスは、プライマリーセルにおけるＰＤＳＣＨで送信される。当該ＰＤＳＣＨは、ＲＡ−ＲＮＴＩを含むＰＤＣＣＨに対応する。ランダムアクセスレスポンスは、上りリンクグラントにマップされる上りリンクグラントフィールド、および、Ｔｅｍｐｏｒａｒｙ  Ｃ−ＲＮＴＩを示すための情報にマップされるＴｅｍｐｏｒａｒｙ  Ｃ−ＲＮＴＩフィールドを含む。
【００９６】
受信したランダムアクセスレスポンスに、送信したランダムアクセスプリアンブルに対応するランダムアクセスプリアンブル識別子が含まれており、端末装置１によって基地局装置３から受信した情報に基づいてランダムアクセスプリアンブルが選択された場合、端末装置１は非コンテンションベースランダムアクセス手順が成功裏に完了したとみなし、ランダムアクセスレスポンスに含まれている上りリンクグラントに基づいてＰＵＳＣＨを送信する。
【００９７】
受信したランダムアクセスレスポンスに、送信したランダムアクセスプリアンブルに対応するランダムアクセスプリアンブル識別子が含まれており、端末装置１自身によってランダムアクセスプリアンブルが選択された場合、Ｔｅｍｐｏｒａｒｙ  Ｃ−ＲＮＴＩを受信したランダムアクセスレスポンスに含まれるＴｅｍｐｏｒａｒｙ  Ｃ−ＲＮＴＩフィールドの値にセットし、ランダムアクセスレスポンスに含まれている上りリンクグラントに基づいてＰＵＳＣＨでランダムアクセスメッセージ３を送信する。
【００９８】
ランダムアクセスレスポンスに含まれている上りリンクグラントに対応するＰＵＳＣＨは、対応するプリアンブルがＰＲＡＣＨで送信されたサービングセルにおいて送信される。
【００９９】
Ｔｅｍｐｏｒａｒｙ  Ｃ−ＲＮＴＩがセットされていない場合、ランダムアクセスレスポンスに含まれる上りリンクグラントに対応するＰＵＳＣＨ、および、同じトランスポートブロックのＰＵＳＣＨ再送信のスクランブリングは、Ｃ−ＲＮＴＩに基づく。
【０１００】
Ｔｅｍｐｏｒａｒｙ  Ｃ−ＲＮＴＩがセットされている場合、ランダムアクセスレスポンスに含まれる上りリンクグラントに対応するＰＵＳＣＨ、および、同じトランスポートブロックのＰＵＳＣＨ再送信のスクランブリングは、Ｔｅｍｐｏｒａｒｙ  Ｃ−ＲＮＴＩに基づく。
【０１０１】
Ｔｅｍｐｏｒａｒｙ  Ｃ−ＲＮＴＩがセットされている場合、ランダムアクセスレスポンスに含まれる上りリンクグラントに対応するＰＵＳＣＨで送信されたトランスポートブロックのＰＵＳＣＨ再送信は、Ｔｅｍｐｏｒａｒｙ  Ｃ−ＲＮＴＩによってスクランブルされたＣＲＣパリティビットが付加されたＤＣＩフォーマット０によってスケジュールされる。該ＤＣＩフォーマット０はコモンサーチスペース（Common Search Space）のＰＤ
ＣＣＨで送信される。
【０１０２】
以下、上りリンクにおける同期ＨＡＲＱについて説明する。
【０１０３】
同期ＨＡＲＱにおいて、上りリンクグラントが対応するＨＡＲＱプロセスは、上りリンクグラントを受信したサブフレーム、および／または、上りリンクグラントに対応するＰＵＳＣＨ（ＵＬ−ＳＣＨ）が送信されるサブフレームに関連する。端末装置１は、同期ＨＡＲＱにおいて、上りリンクグラントが対応するＨＡＲＱプロセスを、上りリンクグラントを受信したサブフレーム、および／または、上りリンクグラントに対応するＰＵＳＣＨ（ＵＬ−ＳＣＨ）が送信されるサブフレームから導き出す。すなわち、同期ＨＡＲＱにおいて、ＨＡＲＱエンティティは、上りリンクグラントに含まれる情報を用いずに、上りリンクグラントが対応するＨＡＲＱプロセスを特定してもよい。
【０１０４】
図５は、本実施形態における同期ＨＡＲＱの一例を示す図である。図５において、１つのサブフレームは、１つのＨＡＲＱプロセスに対応する。図５において、四角の中の数字は対応するＨＡＲＱプロセスの番号を示す。同期ＨＡＲＱにおいて、ＨＡＲＱエンティティは、ＨＡＲＱプロセスを、ＭＡＣ層におけるＵＬ−ＳＣＨのデータが送信されるサブフレーム、または、ＭＡＣ層におけるＵＬ−ＳＣＨのデータに対応するＤＣＩフォーマット０を検出したサブフレームから導き出される。
【０１０５】
図５において、上りリンクグラントに対応するＭＡＣ層のデータが送信されるサブフレームは、上りリンクグラントを受信したサブフレームから導き出される。例えば、上りリンクグラントを受信したサブフレームより４つ後のサブフレームにおいて、該上りリンクグラントに対応するＭＡＣ層におけるＵＬ−ＳＣＨのデータがＰＵＳＣＨで送信されてもよい。
【０１０６】
同期ＨＡＲＱにおいて、上りリンク送信に応答してＨＡＲＱインディケータがＰＨＩＣＨで送信される。上りリンク送信が行われたサブフレームと、対応するＰＨＩＣＨが送信されるサブフレームの対応は、予め定められている。例えば、ＰＵＳＣＨでＭＡＣ層のデータを送信したサブフレームより４つ後のサブフレームにおいて、該ＭＡＣ層のデータに対するＨＡＲＱインディケータがＰＨＩＣＨで送信される。また、例えば、ＰＨＩＣＨでＮＡＣＫを受信したサブフレームより４つ後のサブフレームにおいて、ＭＡＣ層のデータ
がＰＵＳＣＨで再送信される。
【０１０７】
以下、上りリンクにおける非同期ＨＡＲＱについて説明する。
【０１０８】
図６は、本実施形態における非同期ＨＡＲＱの一例を示す図である。図６において、１つのサブフレームは、１つのＨＡＲＱプロセスに対応する。図６において、四角の中の数字は対応するＨＡＲＱプロセスの番号を示す。非同期ＨＡＲＱにおいて、上りリンクグラント（ＤＣＩフォーマット０Ｃ、および／または、ＤＣＩフォーマット０Ｄ）がＵＥ固有サーチスペースにマップされるＰＤＣＣＨに含まれる場合、ＨＡＲＱエンティティは、ＨＡＲＱプロセスを、“ＨＡＲＱ  ｐｒｏｃｅｓｓ  ｎｕｍｂｅｒ”フィールドから導き出す。非同期ＨＡＲＱにおいて、上りリンクグラント（ＤＣＩフォーマット０）がコモンサーチスペースにマップされるＰＤＣＣＨに含まれる場合、ＨＡＲＱエンティティは、特定の番号のＨＡＲＱプロセスを用いてもよい。非同期ＨＡＲＱにおいて、上りリンクグラントがランダムアクセスレスポンスに含まれる場合、ＨＡＲＱエンティティは、特定の番号のＨＡＲＱプロセスを用いてもよい。当該特定の番号は０であってもよい。当該特定の番号は予め定められた番号であってもよい。
【０１０９】
非同期ＨＡＲＱにおいて、上りリンク送信に応答してＨＡＲＱインディケータがＰＨＩＣＨで送信されない。すなわち、非同期ＨＡＲＱにおいて、ＭＡＣ層のデータ（トランスポートブロック）の再送信は常にＰＤＣＣＨを介してスケジュールされる。図６において、上りリンクグラントに対応するＭＡＣ層のデータが送信されるサブフレームは、上りリンクグラントを受信したサブフレームから導き出される。例えば、短縮処理時間の場合、上りリンクグラントを受信したサブフレームより３つ後のサブフレームにおいて、該上りリンクグラントに対応するＭＡＣ層のデータがＰＵＳＣＨで送信されてもよい。
【０１１０】
また、本実施形態において、あるサービングセルにおける上りリンクＨＡＲＱプロセスに対して、同期ＨＡＲＱおよび非同期ＨＡＲＱの何れが適用されるかは、該サービングセルにＲＲＣ層のパラメータｓｈｏｒｔＰｒｏｃｅｓｓｉｎｇＴｉｍｅが設定されるか否かに基づいて、導き出されてもよい。ＲＲＣ層のパラメータｓｈｏｒｔＰｒｏｃｅｓｓｉｎｇＴｉｍｅが設定されていないサービングセルにおいて、上りリンクＨＡＲＱプロセスに対して同期ＨＡＲＱが適用されてもよい。ＲＲＣ層のパラメータｓｈｏｒｔＰｒｏｃｅｓｓｉｎｇＴｉｍｅが設定されているサービングセルにおいて、上りリンクＨＡＲＱプロセスに対して非同期ＨＡＲＱが適用されてもよい。また、ＲＲＣ層のパラメータｓｈｏｒｔＰｒｏｃｅｓｓｉｎｇＴｉｍｅが設定されているサービングセルにおける上りリンクＨＡＲＱプロセスに対して、同期ＨＡＲＱおよび非同期ＨＡＲＱの何れが適用されるかは、上りリンクグラントが受信されたサーチスペースのタイプから導き出されてもよい。例えば、上りリンクHARQプロセスに対応する上りリンクグラントがコモンサーチスペースで受信された場合、該上りリンクHARQプロセスのタイプは同期ＨＡＲＱであってもよい。つまり、コモンサーチスペースで受信された上りリンクグラントに対応するＭＡＣ層のデータに対して、同期ＨＡＲＱが適用される。また、上りリンクＨＡＲＱプロセスに対応する上りリンクグラントがＵＥ固有サーチスペースで受信された場合、該上りリンクＨＡＲＱプロセスのタイプは非同期ＨＡＲＱであってもよい。つまり、ＵＥ固有サーチスペースで受信された上りリンクグラントに対応するＭＡＣ層のデータに対して、非同期ＨＡＲＱが適用される。また、ＲＲＣ層のパラメータｓｈｏｒｔＰｒｏｃｅｓｓｉｎｇＴｉｍｅが設定されているサービングセルにおいて、トランスポートブロックの初期送信のための上りリンクグラントが非コンテンションベースランダムアクセス手順に対応するランダムアクセスレスポンスに含まれた場合、該上りリンクグラントに対応するＨＡＲＱプロセスに対して同期ＨＡＲＱが適用される。
【０１１１】
すなわち、端末装置１は、（１）上りリンクグラントを含むＰＤＣＣＨがマップされる
サーチスペースのタイプ、（２）上りリンクグラントがランダムアクセスレスポンスおよびＰＤＣＣＨのどちらに含まれているか、（３）ＲＲＣ層のパラメータＰＵＳＣＨＥｎｈ−Ｃｏｎｆｉｇｕｒａｔｉｏｎが設定されているかどうか、および／または、（４）ＲＲＣ層のパラメータｓｈｏｒｔＰｒｏｃｅｓｓｉｎｇＴｉｍｅが設定されているかどうかに、少なくとも基づいて、上りリンクグラントが対応するＨＡＲＱプロセスを特定してもよい。
【０１１２】
以下、ＨＡＲＱの再送信のためのＰＤＣＣＨのデコードについて説明する。
【０１１３】
図７と図８は、ＨＡＲＱの再送信のためのＰＤＣＣＨのデコードに関する疑似コードを示す図である。図７と図８においてＰＤＣＣＨは上りリンクグラントを含むＰＤＣＣＨである。端末装置１が特定のサーチスペースにおいてＰＤＣＣＨが発生するとみなすことは、端末装置１が特定のサーチスペースにおいてＰＤＣＣＨのデコードを試みること、および、基地局装置３が特定のサーチスペースにおいてＰＤＣＣＨを送信することを意味する。端末装置１がコモンサーチスペースまたはＵＥ固有サーチスペースにおいてＰＤＣＣＨが発生するとみなすことは、端末装置１がコモンサーチスペース、および、ＵＥ固有サーチスペースにおいてＰＤＣＣＨのデコードを試みること、および、基地局装置３がコモンサーチスペース、および、ＵＥ固有サーチスペースに対応する複数のＰＤＣＣＨ候補の何れかにおいてＰＤＣＣＨを送信することを意味する。
【０１１４】
トランスポートブロックのためのＰＵＳＣＨ初期送信は、ＰＵＳＣＨを用いてトランスポートブロックを初期送信することを意味する。トランスポートブロックのためのＰＵＳＣＨ再送信は、ＰＵＳＣＨを用いてトランスポートブロックを再送信することを意味する。
【０１１５】
端末装置１、および、基地局装置３は、（１）トランスポートブロックのためのＰＵＳＣＨ初期送信のための上りリンクグラントを含むランダムアクセスレスポンスグラントが対応するランダムアクセス手順のタイプ、（２）上りリンクグラントを含むＰＤＣＣＨがマップされるサーチスペースのタイプ、（３）上りリンクグラントがランダムアクセスレスポンスおよびＰＤＣＣＨのどちらに含まれているか、（４）ＲＲＣ層のパラメータＰＵＳＣＨＥｎｈ−Ｃｏｎｆｉｇｕｒａｔｉｏｎが設定されているかどうか、および／または、（５）ＲＲＣ層のパラメータｓｈｏｒｔＰｒｏｃｅｓｓｉｎｇＴｉｍｅが設定されているかどうかに、少なくとも基づいて、処理Ａから処理Ｃの何れを実行するかを決定してもよい。
【０１１６】
すなわち、端末装置１は、（１）トランスポートブロックのためのＰＵＳＣＨ初期送信のための上りリンクグラントを含むランダムアクセスレスポンスグラントが対応するランダムアクセス手順のタイプ、（２）上りリンクグラントを含むＰＤＣＣＨがマップされるサーチスペースのタイプ、（３）上りリンクグラントがランダムアクセスレスポンスおよびＰＤＣＣＨのどちらに含まれているか、（４）ＲＲＣ層のパラメータＰＵＳＣＨＥｎｈ−Ｃｏｎｆｉｇｕｒａｔｉｏｎが設定されているかどうか、および／または、（５）ＲＲＣ層のパラメータｓｈｏｒｔＰｒｏｃｅｓｓｉｎｇＴｉｍｅが設定されているかどうかに、少なくとも基づいて、何れのタイプのサーチスペースにおいて、当該トランスポートブロックのＰＵＳＣＨ再送信のためのＰＤＣＣＨのデコードを試みるかを決定してもよい。
【０１１７】
すなわち、基地局装置３は、（１）トランスポートブロックのためのＰＵＳＣＨ初期送信のための上りリンクグラントを含むランダムアクセスレスポンスグラントが対応するランダムアクセス手順のタイプ、（２）上りリンクグラントを含むＰＤＣＣＨがマップされるサーチスペースのタイプ、（３）上りリンクグラントがランダムアクセスレスポンスおよびＰＤＣＣＨのどちらに含まれているか、（４）ＲＲＣ層のパラメータＰＵＳＣＨＥｎ
ｈ−Ｃｏｎｆｉｇｕｒａｔｉｏｎが設定されているかどうか、および／または、（５）ＲＲＣ層のパラメータｓｈｏｒｔＰｒｏｃｅｓｓｉｎｇＴｉｍｅが設定されているかどうかに、少なくとも基づいて、何れのタイプのサーチスペースにおいて、当該トランスポートブロックのＰＵＳＣＨ再送信のためのＰＤＣＣＨを送信するかを決定してもよい。
【０１１８】
条件Ａが満たされる場合、端末装置１および基地局装置３は処理Ａを実行する。条件Ｂが満たされ、且つ、条件Ｃおよび条件Ｄの少なくとも一方が満たされる場合、端末装置１および基地局装置３は処理Ｂを実行する。条件Ｅが満たされ、且つ、条件Ｆまたは条件Ｇの少なくとも一方が満たされる場合、端末装置１および基地局装置３は処理Ｃを実行する。条件Ｅおよび条件Ｈが満たされる場合、端末装置１および基地局装置３は処理Ａを実行する。条件Ｉが満たされ、且つ、条件Ｃおよび条件Ｄの少なくとも一方が満たされる場合、端末装置１および基地局装置３は処理Ｂを実行する。条件Ｊおよび条件Ｆが満たされる場合、端末装置１および基地局装置３は処理Ｃを実行する。条件Ｊが満たされ、且つ、条件Ｈまたは条件Ｇの少なくとも一方が満たされる場合、端末装置１および基地局装置３は処理Ａを実行する。
【０１１９】
処理Ａは、端末装置１がトランスポートブロックのＰＵＳＣＨ再送信のためのＰＤＣＣＨがコモンサーチスペースにおいて発生するとみなすことである。処理Ｂは、端末装置１がトランスポートブロックのＰＵＳＣＨ再送信のためのＰＤＣＣＨがコモンサーチスペースまたはＵＥ固有サーチスペースにおいて発生するとみなすことである。処理Ｃは、端末装置１がトランスポートブロックのＰＵＳＣＨ再送信のためのＰＤＣＣＨがＵＥ固有サーチスペースにおいて発生するとみなすことである。
【０１２０】
条件Ａは、トランスポートブロックのためのＰＵＳＣＨ初期送信が、コンテンションベースランダムアクセス手順に対応するランダムアクセスレスポンスに含まれる上りリンクグラントによってスケジュールされることである。また、条件Ａは、トランスポートブロックのためのＰＵＳＣＨ初期送信のための上りリンクグラントが、コンテンションベースランダムアクセス手順に対応するランダムアクセスレスポンスに含まれることでもよい。
【０１２１】
条件Ｂは、ＲＲＣ層のパラメータＰＵＳＣＨＥｎｈ−Ｃｏｎｆｉｇｕｒａｔｉｏｎが、端末装置１に対して設定されていないことである。条件Ｃは、トランスポートブロックのためのＰＵＳＣＨ初期送信のためのＰＤＣＣＨがデコードされたことである。条件Ｄ、および、条件Ｇは、トランスポートブロックのためのＰＵＳＣＨ初期送信が、非コンテンションベースランダムアクセス手順に対応するランダムアクセスレスポンスグラントに含まれる上りリンクグラントによってスケジュールされたことである。条件Ｅは、ＲＲＣ層のパラメータＰＵＳＣＨＥｎｈ−Ｃｏｎｆｉｇｕｒａｔｉｏｎが、端末装置１に対して設定されていることである。条件Ｆは、トランスポートブロックのためのＰＵＳＣＨ初期送信のためのＰＤＣＣＨが、ＵＥ固有サーチスペースにおいてデコードされたことである。条件Ｈは、トランスポートブロックのためのＰＵＳＣＨ初期送信のためのＰＤＣＣＨが、コモンサーチスペースにおいてデコードされたことである。条件Ｉは、ＲＲＣ層のパラメータｓｈｏｒｔＰｒｏｃｅｓｓｉｎｇＴｉｍｅが、端末装置１に対して設定されていないことである。条件Ｊは、ＲＲＣ層のパラメータｓｈｏｒｔＰｒｏｃｅｓｓｉｎｇＴｉｍｅが、端末装置１に対して設定されていることである。
【０１２２】
以下、本実施形態における装置の構成について説明する。
【０１２３】
図９は、本実施形態の端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、および、ベース
バンド部１３を含んで構成される。上位層処理部１４は、媒体アクセス制御層処理部１５
、および、無線リソース制御層処理部１６を含んで構成される。無線送受信部１０を送信部、受信部、または、物理層処理部とも称する。
【０１２４】
上位層処理部１４は、ユーザの操作等により生成された上りリンクデータ（トランスポートブロック）を、無線送受信部１０に出力する。上位層処理部１４は、媒体アクセス制御（Medium Access Control: MAC）層、パケットデータ統合プロトコル（Packet Data Convergence Protocol: PDCP）層、無線リンク制御（Radio Link Control: RLC）層、無線
リソース制御（Radio Resource Control: RRC）層の処理を行なう。
【０１２５】
上位層処理部１４が備える媒体アクセス制御層処理部１５は、媒体アクセス制御層の処理を行う。媒体アクセス制御層処理部１５は、無線リソース制御層処理部１６によって管理されている各種設定情報／パラメータに基づいて、ＨＡＲＱの制御を行う。媒体アクセス制御層処理部１５は、複数のＨＡＲＱエンティティ、複数のＨＡＲＱプロセス、および、複数のＨＡＲＱバッファを管理する。
【０１２６】
上位層処理部１４が備える無線リソース制御層処理部１６は、無線リソース制御層の処理を行う。無線リソース制御層処理部１６は、自装置の各種設定情報／パラメータの管理をする。無線リソース制御層処理部１６は、基地局装置３から受信したＲＲＣ層の信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。
【０１２７】
無線送受信部１０は、変調、復調、符号化、復号化などの物理層の処理を行う。無線送受信部１０は、基地局装置３から受信した信号を、分離、復調、復号し、復号した情報を上位層処理部１４に出力する。無線送受信部１０は、データを変調、符号化することによって送信信号を生成し、基地局装置３に送信する。
【０１２８】
ＲＦ部１２は、アンテナ部１１を介して受信した信号を、直交復調によりベースバンド信号に変換し（ダウンコンバート: down covert）、不要な周波数成分を除去する。ＲＦ
部１２は、処理をしたアナログ信号をベースバンド部に出力する。
【０１２９】
ベースバンド部１３は、ＲＦ部１２から入力されたアナログ信号を、アナログ信号をディジタル信号に変換する。ベースバンド部１３は、変換したディジタル信号からＣＰ（Cyclic Prefix）に相当する部分を除去し、ＣＰを除去した信号に対して高速フーリエ変換
（Fast Fourier Transform: FFT）を行い、周波数領域の信号を抽出する。
【０１３０】
ベースバンド部１３は、データを逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換する。ベースバンド部１３は、変換したアナログ信号をＲＦ部１２に出力する。
【０１３１】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。また、ＲＦ部１２は、電力を増幅する。また、ＲＦ部１２は送信電力を制御する機能を備えてもよい。ＲＦ部１２を送信電力制御部とも称する。
【０１３２】
図１０は、本実施形態の基地局装置３の構成を示す概略ブロック図である。図示するように、基地局装置３は、無線送受信部３０、および、上位層処理部３４を含んで構成され
る。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、または、物理層処理部とも称する。
【０１３３】
上位層処理部３４は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０１３４】
上位層処理部３４が備える媒体アクセス制御層処理部３５は、媒体アクセス制御層の処理を行う。媒体アクセス制御層処理部１５は、無線リソース制御層処理部１６によって管理されている各種設定情報／パラメータに基づいて、ＨＡＲＱの制御を行う。媒体アクセス制御層処理部１５は、上りリンクデータ（ＵＬ−ＳＣＨ）に対するＡＣＫ／ＮＡＣＫおよびＨＡＲＱ情報を生成する。上りリンクデータ（ＵＬ−ＳＣＨ）に対するＡＣＫ／ＮＡＣＫおよびＨＡＲＱ情報は、ＰＨＩＣＨまたはＰＤＣＣＨで端末装置１に送信される。
【０１３５】
上位層処理部３４が備える無線リソース制御層処理部３６は、無線リソース制御層の処理を行う。無線リソース制御層処理部３６は、物理下りリンク共用チャネルに配置される下りリンクデータ（トランスポートブロック）、システムインフォメーション、ＲＲＣメッセージ、ＭＡＣ  ＣＥ（Control Element）などを生成し、又は上位ノードから取得し
、無線送受信部３０に出力する。また、無線リソース制御層処理部３６は、端末装置１各々の各種設定情報／パラメータの管理をする。無線リソース制御層処理部３６は、上位層の信号を介して端末装置１各々に対して各種設定情報／パラメータをセットしてもよい。すなわち、無線リソース制御層処理部３６は、各種設定情報／パラメータを示す情報を送信／報知する。
【０１３６】
無線送受信部３０の機能は、無線送受信部１０と同様であるため説明を省略する。
【０１３７】
基地局装置３が備える符号３０から符号３６が付された部のそれぞれは、回路として構成されてもよい。端末装置１が備える符号１０から符号１６が付された部のそれぞれは、回路として構成されてもよい。
【０１３８】
以下、本実施形態における、端末装置、および、基地局装置の種々の態様について説明する。
【０１３９】
（１）本実施形態の第１の態様は端末装置であって、トランスポートブロックの初期送信を実行する送信部１０と、前記トランスポートブロックの前記初期送信のための上りリンクグラントが含まれるランダムアクセスレスポンスが対応するランダムアクセス手順のタイプに基づいてサーチスペースを選択し、前記選択したサーチスペースにおいて前記トランスポートブロックの再送信のためのＰＤＣＣＨのデコードを試みる受信部１０と、を備える。
【０１４０】
（２）本実施形態の第２の態様は基地局装置であって、トランスポートブロックの初期送信を受信する受信部３０と、前記トランスポートブロックの前記初期送信のための上りリンクグラントが含まれるランダムアクセスレスポンスが対応するランダムアクセス手順のタイプに基づいてサーチスペースを選択し、前記選択したサーチスペースにおいて前記トランスポートブロックの再送信のためのＰＤＣＣＨを送信する送信部３０と、を備える。
【０１４１】
（３）本実施形態の第１および第２の態様において、前記初期送信はＰＵＳＣＨを介して実行され、前記再送信はＰＵＳＣＨを介して実行される。
【０１４２】
（４）本実施形態の第１および第２の態様において、前記サーチスペースは、コモンサーチスペース、および、ＵＥ固有サーチスペースを含む。
【０１４３】
（５）本実施形態の第１および第２の態様において、前記ランダムアクセス手順のタイプは、コンテンションベースランダムアクセス手順、および、非コンテンションベースランダムアクセス手順を含む。
【０１４４】
（６）本実施形態の第１および第２の態様において、前記ＰＤＣＣＨは前記トランスポートブロックの再送信のための上りリンクグラントを含む。
【０１４５】
（７）本実施形態の第１および第２の態様において、前記端末装置に対してＲＲＣ層のパラメータＰＵＳＣＨＥｎｈ−Ｃｏｎｆｉｇｕｒａｔｉｏｎが設定されている。
【０１４６】
（８）本実施形態の第１および第２の態様において、前記ＲＲＣ層のパラメータＰＵＳＣＨＥｎｈ−Ｃｏｎｆｉｇｕｒａｔｉｏｎは１つのサービングセルに対応しており、前記端末装置に対してＲＲＣ層のパラメータＰＵＳＣＨＥｎｈ−Ｃｏｎｆｉｇｕｒａｔｉｏｎが設定されている場合、前記サービングセルの上りリンクに対して非同期ＨＡＲＱが適用され、前記端末装置に対してＲＲＣ層のパラメータＰＵＳＣＨＥｎｈ−Ｃｏｎｆｉｇｕｒａｔｉｏｎが設定されていない場合、前記サービングセルの上りリンクに対して同期ＨＡＲＱが適用される。
【０１４７】
（９）本実施形態の第１の態様において、前記端末装置に対してＲＲＣ層のパラメータＰＵＳＣＨＥｎｈ−Ｃｏｎｆｉｇｕｒａｔｉｏｎが設定されており、且つ、前記トランスポートブロックの前記初期送信のための前記上りリンクグラントが含まれる前記ランダムアクセスレスポンスが前記非コンテンションベースランダムアクセス手順に対応する場合、前記受信部１０は、前記ＵＥ固有サーチスペースにおいて前記トランスポートブロックの前記再送信のための前記ＰＤＣＣＨのデコードを試みる。ここで、受信部１０は、前記コモンサーチスペースにおいて前記ＰＤＣＣＨのデコードを試みない。
【０１４８】
（１０）本実施形態の第１の態様において、前記端末装置に対してＲＲＣ層のパラメータＰＵＳＣＨＥｎｈ−Ｃｏｎｆｉｇｕｒａｔｉｏｎが設定されており、且つ、前記トランスポートブロックの前記初期送信のための前記上りリンクグラントが含まれる前記ランダムアクセスレスポンスが前記コンテンションベースランダムアクセス手順に対応する場合、前記受信部１０は、前記コモンサーチスペースにおいて前記トランスポートブロックの前記再送信のための前記ＰＤＣＣＨのデコードを試みる。ここで、受信部１０は、前記ＵＥ固有サーチスペースにおいて前記ＰＤＣＣＨのデコードを試みない。
【０１４９】
（１１）本実施形態の第１の態様において、前記端末装置に対してＲＲＣ層のパラメータＰＵＳＣＨＥｎｈ−Ｃｏｎｆｉｇｕｒａｔｉｏｎが設定されておらず、且つ、前記トランスポートブロックの前記初期送信のための前記上りリンクグラントが含まれる前記ランダムアクセスレスポンスが前記非コンテンションベースランダムアクセス手順に対応する場合、前記受信部１０は、前記ＵＥ固有サーチスペース、および、前記コモンサーチスペースにおいて前記トランスポートブロックの前記再送信のための前記ＰＤＣＣＨのデコードを試みる。
【０１５０】
（１２）本実施形態の第１の態様において、前記端末装置に対してＲＲＣ層のパラメータＰＵＳＣＨＥｎｈ−Ｃｏｎｆｉｇｕｒａｔｉｏｎが設定されておらず、且つ、前記トラ
ンスポートブロックの前記初期送信のための前記上りリンクグラントが含まれる前記ランダムアクセスレスポンスが前記コンテンションベースランダムアクセス手順に対応する場合、前記受信部１０は、前記コモンサーチスペースにおいて前記トランスポートブロックの前記再送信のための前記ＰＤＣＣＨのデコードを試みる。ここで、受信部１０は、前記ＵＥ固有サーチスペースにおいて前記ＰＤＣＣＨのデコードを試みない。
【０１５１】
（１３）本実施形態の第２の態様において、前記端末装置に対してＲＲＣ層のパラメータＰＵＳＣＨＥｎｈ−Ｃｏｎｆｉｇｕｒａｔｉｏｎが設定されており、且つ、前記トランスポートブロックの前記初期送信のための前記上りリンクグラントが含まれる前記ランダムアクセスレスポンスが前記非コンテンションベースランダムアクセス手順に対応する場合、前記送信部は、前記ＵＥ固有サーチスペースにおいて前記トランスポートブロックの前記再送信のための前記ＰＤＣＣＨを送信する。
【０１５２】
（１４）本実施形態の第２の態様において、前記端末装置に対してＲＲＣ層のパラメータＰＵＳＣＨＥｎｈ−Ｃｏｎｆｉｇｕｒａｔｉｏｎが設定されており、且つ、前記トランスポートブロックの前記初期送信のための前記上りリンクグラントが含まれる前記ランダムアクセスレスポンスが前記コンテンションベースランダムアクセス手順に対応する場合、前記送信部は、前記コモンサーチスペースにおいて前記トランスポートブロックの前記再送信のための前記ＰＤＣＣＨを送信する。
【０１５３】
（１５）本実施形態の第２の態様において、前記端末装置に対してＲＲＣ層のパラメータＰＵＳＣＨＥｎｈ−Ｃｏｎｆｉｇｕｒａｔｉｏｎが設定されておらず、且つ、前記トランスポートブロックの前記初期送信のための前記上りリンクグラントが含まれる前記ランダムアクセスレスポンスが前記非コンテンションベースランダムアクセス手順に対応する場合、前記送信部は、前記ＵＥ固有サーチスペースおよび前記コモンサーチスペースに対応する複数のＰＤＣＣＨ候補の何れかにおいて前記トランスポートブロックの前記再送信のための前記ＰＤＣＣＨを送信する。
【０１５４】
（１６）本実施形態の第２の態様において、前記端末装置に対してＲＲＣ層のパラメータＰＵＳＣＨＥｎｈ−Ｃｏｎｆｉｇｕｒａｔｉｏｎが設定されておらず、且つ、前記トランスポートブロックの前記初期送信のための前記上りリンクグラントが含まれる前記ランダムアクセスレスポンスが前記コンテンションベースランダムアクセス手順に対応する場合、前記送信部は、前記コモンサーチスペースにおいて前記トランスポートブロックの前記再送信のための前記ＰＤＣＣＨを送信する。
【０１５５】
（１７）本実施形態の第３の態様は端末装置であって、上りリンクグラントを含むＰＤＣＣＨをデコードする受信部１０と、複数のＨＡＲＱプロセスを管理する媒体アクセス制御層処理部１５と、を備え、前記上りリンクグラントが対応するＨＡＲＱプロセスは、前記ＰＤＣＣＨがデコードされたサーチスペースに少なくとも基づいて決定される。
【０１５６】
（１８）本実施形態の第３の態様において、前記ＰＤＣＣＨがコモンサーチスペースにおいてデコードされた場合、前記上りリンクグラントは予め定められた番号のＨＡＲＱプロセスに対応する。
【０１５７】
（１９）本実施形態の第４の態様は基地局装置であって、上りリンクグラントを含むＰＤＣＣＨを送信する送信部３０と、複数のＨＡＲＱプロセスを管理する媒体アクセス制御層処理部３５と、を備え、前記上りリンクグラントが対応するＨＡＲＱプロセスは、前記ＰＤＣＣＨが送信されたサーチスペースに少なくとも基づいて決定される。
【０１５８】
（２０）本実施形態の第５の態様において、前記ＰＤＣＣＨがコモンサーチスペースに
おいて送信された場合、前記上りリンクグラントは予め定められた番号のＨＡＲＱプロセスに対応する。
【０１５９】
（２１）本実施形態の第６の態様は端末装置であって、トランスポートブロックの初期送信を実行する送信部１０と、前記トランスポートブロックの再送信のためのＰＤＣＣＨのデコードを試みる受信部１０と、を備え、
前記トランスポートブロックの再送信のためのＰＤＣＣＨのデコードを試みるサーチスペースのタイプは、（１）トランスポートブロックのための初期送信のための上りリンクグラントを含むランダムアクセスレスポンスグラントが対応するランダムアクセス手順のタイプ、（２）トランスポートブロックの初期送信のための上りリンクグラントを含むＰＤＣＣＨがマップされるサーチスペースのタイプ、（３）トランスポートブロックの初期送信のための上りリンクグラントがランダムアクセスレスポンスおよびＰＤＣＣＨのどちらに含まれているか、および／または、（４）ＲＲＣ層のパラメータｓｈｏｒｔＰｒｏｃｅｓｓｉｎｇＴｉｍｅが設定されているかどうかに、少なくとも基づいて、決定されてもよい。
【０１６０】
（２２）本実施形態の第７の態様は基地局装置であって、トランスポートブロックの初期送信を受信する受信部３０と、前記トランスポートブロックの再送信のためのＰＤＣＣＨを送信する送信部３０と、を備え、前記トランスポートブロックの再送信のためのＰＤＣＣＨが送信されるサーチスペースのタイプは、（１）トランスポートブロックのための初期送信のための上りリンクグラントを含むランダムアクセスレスポンスグラントが対応するランダムアクセス手順のタイプ、（２）トランスポートブロックの初期送信のための上りリンクグラントを含むＰＤＣＣＨがマップされるサーチスペースのタイプ、（３）トランスポートブロックの初期送信のための上りリンクグラントがランダムアクセスレスポンスおよびＰＤＣＣＨのどちらに含まれているか、および／または、（４）ＲＲＣ層のパラメータｓｈｏｒｔＰｒｏｃｅｓｓｉｎｇＴｉｍｅが設定されているかどうかに、少なくとも基づいて、決定されてもよい。
【０１６１】
（２３）本実施形態の第６の態様において、前記端末装置に対してＲＲＣ層のパラメータｓｈｏｒｔＰｒｏｃｅｓｓｉｎｇＴｉｍｅが設定されており、且つ、トランスポートブロックの初期送信のための上りリンクグラントが非コンテンションベースランダムアクセス手順に対応するランダムアクセスレスポンスに含まれた場合、該トランスポートブロックの再送信のためのＰＤＣＣＨのデコードを試みるサーチスペースのタイプは、コモンサーチスペースに決定されてもよい。ここで、受信部１０は、前記ＵＥ固有サーチスペースにおいて前記トランスポートブロックの再送信のためのＰＤＣＣＨのデコードを試みない。
【０１６２】
（２４）本実施形態の第６の態様において、前記端末装置に対してＲＲＣ層のパラメータｓｈｏｒｔＰｒｏｃｅｓｓｉｎｇＴｉｍｅが設定されておらず、且つ、トランスポートブロックの初期送信のための上りリンクグラントが非コンテンションベースランダムアクセス手順に対応するランダムアクセスレスポンスに含まれた場合、該トランスポートブロックの再送信のためのＰＤＣＣＨのデコードを試みるサーチスペースのタイプは、コモンサーチスペース、および、ＵＥ固有サーチスペースに決定されてもよい。ここで、受信部１０は、前記コモンサーチスペース、および、前記ＵＥ固有サーチスペースにおいて前記トランスポートブロックの再送信のためのＰＤＣＣＨのデコードを試みる。
【０１６３】
（２５）本実施形態の第６の態様において、トランスポートブロックの初期送信のための上りリンクグラントがコンテンションベースランダムアクセス手順に対応するランダムアクセスレスポンスに含まれた場合、該トランスポートブロックの再送信のためのＰＤＣＣＨのデコードを試みるサーチスペースのタイプは、前記端末装置に対してＲＲＣ層のパ
ラメータｓｈｏｒｔＰｒｏｃｅｓｓｉｎｇＴｉｍｅが設定されているか否かと関わらず、コモンサーチスペースに決定されてもよい。ここで、受信部１０は、前記ＵＥ固有サーチスペースにおいて前記トランスポートブロックの再送信のためのＰＤＣＣＨのデコードを試みない。
【０１６４】
（２６）本実施形態の第６の態様において、前記端末装置に対してＲＲＣ層のパラメータｓｈｏｒｔＰｒｏｃｅｓｓｉｎｇＴｉｍｅが設定されており、且つ、トランスポートブロックの初期送信のための上りリンクグラントがＰＤＣＣＨに含まれた場合、該トランスポートブロックの再送信のためのＰＤＣＣＨのデコードを試みるサーチスペースのタイプは、トランスポートブロックの初期送信のための上りリンクグラントを含むＰＤＣＣＨがマップされるサーチスペースのタイプに基づいて、決定されてもよい。ここで、トランスポートブロックの初期送信のための上りリンクグラントを含むＰＤＣＣＨがコモンサーチスペースでマップされた場合、受信部１０は、前記コモンサーチスペースにおいて前記トランスポートブロックの再送信のためのＰＤＣＣＨのデコードを試みてもよい。つまり、トランスポートブロックの初期送信のための上りリンクグラントを含むＰＤＣＣＨがコモンサーチスペースでマップされた場合、受信部１０は、前記ＵＥ固有サーチスペースにおいて前記トランスポートブロックの再送信のためのＰＤＣＣＨのデコードを試みない。また、トランスポートブロックの初期送信のための上りリンクグラントを含むＰＤＣＣＨがＵＥ固有サーチスペースでマップされた場合、受信部１０は、前記ＵＥ固有サーチスペースにおいて前記トランスポートブロックの再送信のためのＰＤＣＣＨのデコードを試みてもよい。つまり、トランスポートブロックの初期送信のための上りリンクグラントを含むＰＤＣＣＨがＵＥ固有サーチスペースでマップされた場合、受信部１０は、前記コモンサーチスペースにおいて前記トランスポートブロックの再送信のためのＰＤＣＣＨのデコードを試みない。
【０１６５】
（２７）本実施形態の第６の態様において、前記端末装置に対してＲＲＣ層のパラメータｓｈｏｒｔＰｒｏｃｅｓｓｉｎｇＴｉｍｅが設定されておらず、且つ、トランスポートブロックの初期送信のための上りリンクグラントがＰＤＣＣＨに含まれた場合、該トランスポートブロックの再送信のためのＰＤＣＣＨのデコードを試みるサーチスペースのタイプは、トランスポートブロックの初期送信のための上りリンクグラントを含むＰＤＣＣＨがマップされるサーチスペースのタイプに基づかず、コモンサーチスペース、および、ＵＥ固有サーチスペースに決定されてもよい。ここで、受信部１０は、前記コモンサーチスペース、および、前記ＵＥ固有サーチスペースにおいて前記トランスポートブロックの再送信のためのＰＤＣＣＨのデコードを試みてもよい。
【０１６６】
（２８）本実施形態の第７の態様において、前記端末装置に対してＲＲＣ層のパラメータｓｈｏｒｔＰｒｏｃｅｓｓｉｎｇＴｉｍｅが設定されており、且つ、トランスポートブロックの初期送信のための上りリンクグラントが非コンテンションベースランダムアクセス手順に対応するランダムアクセスレスポンスに含まれた場合、該トランスポートブロックの再送信のためのＰＤＣＣＨが送信されるサーチスペースのタイプは、コモンサーチスペースに決定されてもよい。ここで、送信部３０は、前記ＵＥ固有サーチスペースにおいて前記トランスポートブロックの再送信のためのＰＤＣＣＨを送信しない。
【０１６７】
（２９）本実施形態の第７の態様において、前記端末装置に対してＲＲＣ層のパラメータｓｈｏｒｔＰｒｏｃｅｓｓｉｎｇＴｉｍｅが設定されておらず、且つ、トランスポートブロックの初期送信のための上りリンクグラントが非コンテンションベースランダムアクセス手順に対応するランダムアクセスレスポンスに含まれた場合、該トランスポートブロックの再送信のためのＰＤＣＣＨが送信されるサーチスペースのタイプは、コモンサーチスペース、および、ＵＥ固有サーチスペースに決定されてもよい。ここで、送信部３０は、前記コモンサーチスペース、および、前記ＵＥ固有サーチスペースにおいて前記トラン
スポートブロックの再送信のためのＰＤＣＣＨを送信する。
【０１６８】
（３０）本実施形態の第７の態様において、トランスポートブロックの初期送信のための上りリンクグラントがコンテンションベースランダムアクセス手順に対応するランダムアクセスレスポンスに含まれた場合、該トランスポートブロックの再送信のためのＰＤＣＣＨが送信されるサーチスペースのタイプは、前記端末装置に対してＲＲＣ層のパラメータｓｈｏｒｔＰｒｏｃｅｓｓｉｎｇＴｉｍｅが設定されているか否かと関わらず、コモンサーチスペースに決定されてもよい。ここで、送信部３０は、前記ＵＥ固有サーチスペースにおいて前記トランスポートブロックの再送信のためのＰＤＣＣＨを送信しない。
【０１６９】
（３１）本実施形態の第７の態様において、前記端末装置に対してＲＲＣ層のパラメータｓｈｏｒｔＰｒｏｃｅｓｓｉｎｇＴｉｍｅが設定されており、且つ、トランスポートブロックの初期送信のための上りリンクグラントがＰＤＣＣＨに含まれた場合、該トランスポートブロックの再送信のためのＰＤＣＣＨが送信されるサーチスペースのタイプは、トランスポートブロックの初期送信のための上りリンクグラントを含むＰＤＣＣＨがマップされるサーチスペースのタイプに基づいて、決定されてもよい。ここで、トランスポートブロックの初期送信のための上りリンクグラントを含むＰＤＣＣＨがコモンサーチスペースでマップされた場合、送信部３０は、前記コモンサーチスペースにおいて前記トランスポートブロックの再送信のためのＰＤＣＣＨを送信する。つまり、トランスポートブロックの初期送信のための上りリンクグラントを含むＰＤＣＣＨがコモンサーチスペースでマップされた場合、送信部３０は、前記ＵＥ固有サーチスペースにおいて前記トランスポートブロックの再送信のためのＰＤＣＣＨを送信しない。また、トランスポートブロックの初期送信のための上りリンクグラントを含むＰＤＣＣＨがＵＥ固有サーチスペースでマップされた場合、送信部３０は、前記ＵＥ固有サーチスペースにおいて前記トランスポートブロックの再送信のためのＰＤＣＣＨを送信する。つまり、トランスポートブロックの初期送信のための上りリンクグラントを含むＰＤＣＣＨがＵＥ固有サーチスペースでマップされた場合、送信部３０は、前記コモンサーチスペースにおいて前記トランスポートブロックの再送信のためのＰＤＣＣＨを送信しない。
【０１７０】
（３２）本実施形態の第７の態様において、前記端末装置に対してＲＲＣ層のパラメータｓｈｏｒｔＰｒｏｃｅｓｓｉｎｇＴｉｍｅが設定されておらず、且つ、トランスポートブロックの初期送信のための上りリンクグラントがＰＤＣＣＨに含まれた場合、該トランスポートブロックの再送信のためのＰＤＣＣＨが送信されるサーチスペースのタイプは、トランスポートブロックの初期送信のための上りリンクグラントを含むＰＤＣＣＨがマップされるサーチスペースのタイプに基づかず、コモンサーチスペース、および、ＵＥ固有サーチスペースに決定されてもよい。ここで、送信部３０は、前記コモンサーチスペース、および、前記ＵＥ固有サーチスペースにおいて前記トランスポートブロックの再送信のためのＰＤＣＣＨを送信する。
【０１７１】
（３３）本実施形態の第６および第７の態様において、前記サーチスペースは、コモンサーチスペース、および、ＵＥ固有サーチスペースを含み、前記ランダムアクセス手順のタイプは、コンテンションベースランダムアクセス手順、および、非コンテンションベースランダムアクセス手順を含む。
【０１７２】
（３４）本実施形態の第６および第７の態様において、前記ＰＤＣＣＨは前記トランスポートブロックの初期送信のための上りリンクグラント、および／または、前記トランスポートブロックの再送信のための上りリンクグラントを含む。
【０１７３】
これにより、端末装置１は、効率的に基地局装置３と通信することができる。
【０１７４】
本発明に関わる基地局装置３、および端末装置１で動作するプログラムは、本発明に関わる上記実施形態の機能を実現するように、ＣＰＵ（Central Processing Unit）等を制
御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤ
Ｄ（Hard Disk Drive）に格納され、必要に応じてＣＰＵによって読み出し、修正・書き
込みが行われる。
【０１７５】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１７６】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１７７】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１７８】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１７９】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０１８０】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１８１】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機
器、自動販売機、その他生活機器などの端末装置もしくは通信装置にも適用出来る。
【０１８２】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１８３】
１（１Ａ、１Ｂ、１Ｃ）  端末装置
３  基地局装置
１０  無線送受信部
１１  アンテナ部
１２  ＲＦ部
１３  ベースバンド部
１４  上位層処理部
１５  媒体アクセス制御層処理部
１６  無線リソース制御層処理部
３０  無線送受信部
３１  アンテナ部
３２  ＲＦ部
３３  ベースバンド部
３４  上位層処理部
３５  媒体アクセス制御層処理部
３６  無線リソース制御層処理部
【図１】
2020120142.tif 000003
【図２】
2020120142.tif 000004
【図３】
2020120142.tif 000005
【図４】
2020120142.tif 000006
【図５】
2020120142.tif 000007
【図６】
2020120142.tif 000008
【図７】
2020120142.tif 000009
【図８】
2020120142.tif 000010
【図９】
2020120142.tif 000011
【図１０】
2020120142.tif 000012